(57)【要約】【課題】節電に関するアドバイスをユーザに提示すると共に、当該アドバイスに基づく実際の機器の制御に際してユーザを煩わせることのない電力管理アドバイス装置および電力管理方法を提供すること。【解決手段】電力管理アドバイス装置１では、アドバイス生成部１１２が生成した節電に関するアドバイスを、アドバイス出力部１１４によって出力する。そして、生成されたアドバイスに基づいて、一括制御実行部１１８が複数の機器をそれぞれ一括して制御する。このように、ユーザには節電に関するアドバイスが提供され、さらに、当該アドバイスに基づいて、複数の機器が一括制御される。すなわち、ユーザが提供されたアドバイスを採用しようとする際には、ユーザが自ら操作をする必要がないので、ユーザを煩わせることがない。したがって、節電の効果が確実に得られると共に、ユーザの生活をより快適化および充実化することができる。【選択図】図１
2014180205.tif 000002
【特許請求の範囲】
【請求項１】
複数の機器に接続された電力管理装置であって、
節電に関するアドバイスを生成するアドバイス生成手段と、
上記アドバイスを出力するアドバイス出力手段と、
上記アドバイスに対応した制御を、上記複数の機器に対してそれぞれ一括して実行する制御実行手段とを備えていることを特徴とする電力管理装置。
【請求項２】
上記複数の機器の少なくともいずれかの状態を取得する状態取得手段をさらに備えており、
上記アドバイス生成手段は、取得された上記状態に応じた上記アドバイスを生成することを特徴とする請求項１に記載の電力管理装置。
【請求項３】
電力管理装置は、上記複数の機器のいずれとも異なる他の機器にさらに接続されており、
電力管理装置は、上記他の機器の状態を取得する状態取得手段をさらに備えており、
上記アドバイス生成手段は、取得された上記状態に応じた上記アドバイスを生成することを特徴とする請求項１に記載の電力管理装置。
【請求項４】
上記アドバイス生成手段は、取得された上記状態の遷移に応じた上記アドバイスを生成することを特徴とする請求項２または３に記載の電力管理装置。
【請求項５】
上記複数の機器の少なくともいずれかから、当該機器が備えるセンサを通じて測定した値を取得する測定値取得手段をさらに備えており、
上記アドバイス生成手段は、取得された上記測定値に応じた上記アドバイスを生成することを特徴とする請求項１に記載の電力管理装置。
【請求項６】
電力管理装置は、上記複数の機器のいずれとも異なる他の機器にさらに接続されており、
電力管理装置は、上記他の機器が備えるセンサを通じて測定した値を取得する測定値取得手段をさらに備えており、
上記アドバイス生成手段は、取得された上記測定値に応じた上記アドバイスを生成することを特徴とする請求項１に記載の電力管理装置。
【請求項７】
上記アドバイス生成手段は、取得された上記測定値の遷移に応じた上記アドバイスを生成することを特徴とする請求項５または６に記載の電力管理装置。
【請求項８】
上記複数の機器におけるそれぞれの消費電力を計測する消費電力計測手段と、
計測された消費電力を、過去の消費電力と比較する比較手段とをさらに備えており、
上記アドバイス生成手段は、上記比較手段による比較結果に応じた上記アドバイスを生成することを特徴とする請求項１に記載の電力管理装置。
【請求項９】
電力管理装置は、太陽光発電装置にさらに接続されており、
上記太陽光発電装置における発電量を計測する発電量計測手段をさらに備えており、
上記アドバイス生成手段は、計測された上記発電量に応じた上記アドバイスを生成することを特徴とする請求項１に記載の電力管理装置。
【請求項１０】
上記アドバイス出力手段は、上記アドバイスを、ユーザが所持する携帯装置に送信することを特徴とする請求項１〜９のいずれか１項に記載の電力管理装置。
【請求項１１】
複数の機器に接続された電力管理装置が実行する電力管理方法であって、
節電に関するアドバイスを生成するアドバイス生成ステップと、
上記アドバイスを出力するアドバイス出力ステップと、
上記アドバイスに対応した制御を、上記複数の機器に対してそれぞれ一括して実行する制御実行ステップとを備えていることを特徴とする電力管理方法。
【請求項１２】
請求項１〜１０のいずれか１項に記載の電力管理装置と、上記複数の機器とを備えていることを特徴とする電力管理システム。
【請求項１３】
請求項１２に記載の電力管理システムを備えていることを特徴とする家屋。
【請求項１４】
請求項１〜１０のいずれか１項に記載の電力管理装置を動作させるプログラムであって、コンピュータを上記の各手段として機能させるためのプログラム。
【請求項１５】
請求項１４に記載のプログラムを記録しているコンピュータ読み取り可能な記録媒体。
【発明の詳細な説明】
【技術分野】
【０００１】
本発明は、家屋内に備えられる各機器の電力を管理する電力管理装置、および電力管理方法、ならびに当該電力管理装置を備えた電力管理システム、当該電力管理システムを備えた家屋、電力管理装置のプログラム、およびコンピュータ読み取り可能な記録媒体に関する。
【背景技術】
【０００２】
近年、テレビジョン受像機等の電子機器の大型化および高性能化に伴い、当該機器の消費電力量は大きくなる傾向にある。その一方、エネルギー資源の枯渇に関する問題、または大気中における二酸化炭素の増加による地球温暖化等の地球環境に関する問題から、クリーンなエネルギーの開発が望まれている。それを受け、特に太陽光発電を利用した太陽電池が新しいエネルギー源として開発され、実用化されつつある。
【０００３】
太陽電池の一般家庭への普及に伴い、太陽電池からの発電による分散型電源と商用電源とを連繋した系統連系分散型太陽光発電装置が開発されている。当該装置では、分散型電源だけでは必要な電力が賄えない場合に、商用電源から必要な電力を供給することができる。最近では、系統連系分散型太陽光発電装置の利便性を向上させるために、系統連系太陽光発電装置に新たな機能を付加させたものが開発されている。
【０００４】
例えば、特許文献１には、太陽電池による発電電力量と、ユーザによる消費電力量とを表示する太陽光発電装置が開示されている。これによれば、現時点での太陽電池による発電電力量と、ユーザによる消費電力量との関係を一目で確認することができる。また、本文献に開示されている太陽光発電装置は、自身の太陽電池による発電電力量が、例えば、同じ地域に設置されている太陽光発電装置の発電電力量の平均値よりも２０％低かった場合には、太陽電池に異常があるか否かの確認を推奨するアドバイス情報を表示する機能を有している。他にも、発電電力量と消費電力量とに基づいて、商用電源を供給する電力会社にユーザが支払う料金に関連するアドバイス情報を表示する機能等も有している。以上によれば、ユーザは表示されたアドバイス情報に基づいて、太陽光発電装置の故障の有無を確認したり、消費電力の低下を実現するための行動をとったりすることができる。
【０００５】
また、特許文献２にも、太陽電池による発電電力量と、ユーザによる消費電力量とを表示する太陽光発電装置が開示されているが、当該太陽光発電装置は家庭内の家電機器ごとの消費電力量を表示する機能を有している。これに基づいて、消費電力量が大きい家電機器に対して、消費電力量が大きくなる要因に関するアドバイス情報が表示される。さらに、消費電力が大きい家電機器の新しい機種（より消費電力の低い機種）への買い替えを推奨するアドバイス情報を表示する機能も有している。この際、買い換えることによって、ユーザが得ることができる経済的効果も表示される。以上によれば、様々なアドバイス情報に従って行動することによって、ユーザは消費電力を抑えることができる。
【先行技術文献】
【特許文献】
【０００６】
【特許文献１】特開２００２−１０１５５４号公報（２００２年４月５日公開）
【特許文献２】特開２００３−２５９５５１号公報（２００３年９月１２日公開）
【発明の概要】
【発明が解決しようとする課題】
【０００７】
上記特許文献１および２に開示されている太陽光発電装置は、消費電力量を低減するためのアドバイス情報を表示する。しかしながら、ここで表示されるのはあくまで消費電力量の低減を推奨するアドバイス情報であって、実際に消費電力量の低減を実現するためには、ユーザが自らアドバイスに従った行動をとる必要がある。例えば、家電機器の電源を切るように推奨された場合には、ユーザが自らの操作によって当該家電機器の電源を切らなければならない。このように、提案されたアドバイスを採用しようとする際には、ユーザが自ら操作をする必要があるので、ユーザは煩わしく感じてしまう場合がある。また、場合によっては、表示されたアドバイス情報に従った行動を強いられているとユーザが感じる可能性がある。
【０００８】
そこで、本発明は上記課題に鑑みてなされたものであり、その目的は、節電に関するアドバイスをユーザに提示すると共に、当該アドバイスに基づく実際の機器の制御に際してユーザを煩わせることのない電力管理装置、および電力管理方法、ならびに当該電力管理装置を備えた電力管理システム、当該電力管理システムを備えた家屋、電力管理装置のプログラム、およびコンピュータ読み取り可能な記録媒体を提供することにある。
【課題を解決するための手段】
【０００９】
本発明に係る電力管理装置は、上記課題を解決するために、複数の機器に接続された電力管理装置であって、節電に関するアドバイスを生成するアドバイス生成手段と、上記アドバイスを出力するアドバイス出力手段と、上記アドバイスに対応した制御を、上記複数の機器に対してそれぞれ一括して実行する制御実行手段とを備えていることを特徴としている。
【００１０】
上記の構成によれば、アドバイス生成手段が生成した節電に関するアドバイスを、アドバイス出力手段によって出力することができる。そして、生成されたアドバイスに基づいて、制御実行手段が複数の機器をそれぞれ一括して制御することができる。このように、ユーザには節電に関するアドバイスが提供され、さらに、当該アドバイスに基づいて、複数の機器が一括制御される。
【００１１】
従来では、節電に関するアドバイスをユーザに提供する装置は開示されていたが、この場合には、節電に関するアドバイスが提供されるだけであって、実際に節電を実現するためには、ユーザが自らアドバイスに従った行動をとる必要があった。そのため、提供されたアドバイスを採用しようとしても、当該アドバイスに従って操作をするのを煩わしく感じてしまう場合があった。しかしながら、本発明に係る電力管理装置は、節電に関するアドバイスをユーザに提供するだけでなく、当該アドバイスに基づいて、複数の機器を一括制御することができる。すなわち、ユーザが提供されたアドバイスを採用しようとする際には、ユーザが自ら操作をする必要がないので、ユーザを煩わせることがない。したがって、節電の効果が確実に得られると共に、ユーザの生活をより快適化および充実化することができる。
【００１２】
本発明に係る電力管理方法は、上記課題を解決するために、複数の機器に接続された電力管理装置が実行する電力管理方法であって、節電に関するアドバイスを生成するアドバイス生成ステップと、上記アドバイスを出力するアドバイス出力ステップと、上記アドバイスに対応した制御を、上記複数の機器に対してそれぞれ一括して実行する制御実行ステップとを備えていることを特徴としている。
【００１３】
上記の方法によれば、本発明に係る電力管理装置と同様の作用効果を奏する。
【００１４】
本発明に係る電力管理装置においては、上記複数の機器の少なくともいずれかの状態を取得する状態取得手段をさらに備えており、上記アドバイス生成手段は、取得された上記状態に応じた上記アドバイスを生成することを特徴としている。
【００１５】
上記の構成によれば、複数の機器の少なくともいずれかの機器状態を反映したアドバイスがユーザに提供される。そして、当該アドバイスに基づいて、複数の機器のうち、特定の機器を一括制御することができる。
【００１６】
本発明に係る電力管理装置は、上記複数の機器のいずれとも異なる他の機器にさらに接続されており、電力管理装置は、上記他の機器の状態を取得する状態取得手段をさらに備えており、上記アドバイス生成手段は、取得された上記状態に応じた上記アドバイスを生成することを特徴としている。
【００１７】
上記の構成によれば、一括制御をする対象の機器とは別の機器の状態を反映したアドバスをユーザに提供することが可能である。このように、一括制御をする対象の機器と、機器の状態を取得する対象の機器とが、同一でなくても良い。
【００１８】
本発明に係る電力管理装置においては、上記アドバイス生成手段は、取得された上記状態の遷移に応じた上記アドバイスを生成することを特徴としている。
【００１９】
上記の構成によれば、機器の状態の経時的な変化（遷移）を考慮したアドバイスをユーザに提示することができる。また、そのような遷移を考慮した制御を複数の機器に対してい一括に行うことができる。
【００２０】
本発明に係る電力管理装置においては、上記複数の機器の少なくともいずれかから、当該機器が備えるセンサを通じて測定した値を取得する測定値取得手段をさらに備えており、上記アドバイス生成手段は、取得された上記測定値に応じた上記アドバイスを生成することを特徴としている。
【００２１】
上記の構成によれば、複数の機器の少なくともいずれかが備えたセンサを通じて測定した値を考慮したアドバイスをユーザに提示できる。したがって、このような値を考慮した制御を複数の機器に対して一括で行うことができる。
【００２２】
本発明に係る電力管理装置においては、電力管理装置は、上記複数の機器のいずれとも異なる他の機器にさらに接続されており、電力管理装置は、上記他の機器が備えるセンサを通じて測定した値を取得する測定値取得手段をさらに備えており、上記アドバイス生成手段は、取得された上記測定値に応じた上記アドバイスを生成することを特徴としている。
【００２３】
上記の構成によれば、一括制御をする対象の機器とは別の機器が備えたセンサを通じて測定した値を反映したアドバスをユーザに提供することができる。このように、アドバイスを生成するために利用する値は、必ずしも一括制御をする対象の機器が備えたセンサを通じて測定した値に限られない。
【００２４】
本発明に係る電力管理装置においては、上記アドバイス生成手段は、取得された上記測定値の遷移に応じた上記アドバイスを生成することを特徴としている。
【００２５】
上記の構成によれば、機器が備えたセンサを通じて測定した値の経時的な変化（遷移）を考慮したアドバイスをユーザに提示できる。したがって、このような値の遷移を考慮した制御を複数の機器に対して一括で行うことができる。
【００２６】
本発明に係る電力管理装置においては、上記複数の機器におけるそれぞれの消費電力を計測する消費電力計測手段と、計測された消費電力を、過去の消費電力と比較する比較手段とをさらに備えており、上記アドバイス生成手段は、上記比較手段による比較結果に応じた上記アドバイスを生成することを特徴としている。
【００２７】
上記の構成によれば、複数の機器におけるそれぞれの消費電力と、過去の消費電力の履歴との比較結果に応じたアドバイスを提供することができる。そして、当該アドバイスに基づいて、複数の機器のうち、特定の機器を一括制御することができる。例えば、現時点での消費電力が過去の消費電力を上回った場合には、無駄な電力を消費している可能性があることをユーザに対して喚起し、その対応策が提供される。このように、過去と比較して過度な電力消費が観測された場合等には、その異常をユーザに知らせるので、無駄な電力を消費するのを防ぐことができる。
【００２８】
本発明に係る電力管理装置は、太陽光発電装置にさらに接続されており、上記太陽光発電装置における発電量を計測する発電量計測手段をさらに備えており、上記アドバイス生成手段は、計測された上記発電量に応じた上記アドバイスを生成することを特徴としている。
【００２９】
上記の構成によれば、太陽光発電装置の発電量に応じたアドバイスに基づいて、複数の機器のうち、特定の機器を一括制御することができる。このように、太陽光発電装置の発電量を考慮した上でユーザに対して適切なアドバイスを提示することができる。
【００３０】
本発明に係る電力管理装置は、上記アドバイス出力手段は、上記アドバイスを、ユーザが所持する携帯装置に送信することを特徴としている。
【００３１】
上記の構成によれば、電力管理装置が生成したアドバイスを、ユーザが所持する携帯電話に表示させることができる。したがって、ユーザが家内を移動している間、または外出している間等にも、電力管理装置が生成したアドバイスが携帯電話に表示されるので、ユーザは提供されたアドバイス内容をその場で確認することができる。
本発明に係る電力管理システムは、上記課題を解決するために、上記したいずれかの電力管理装置と、上記複数の機器とを備えていることを特徴としている。
【００３２】
上記の構成によれば、節電に関するアドバイスをユーザに提供するだけでなく、当該アドバイスに基づいて、複数の機器を一括制御することによって、ユーザの生活をより快適化および充実化することができる電力管理システムが実現される。
【００３３】
本発明に係る家屋は、上記課題を解決するために、上記した電力管理システムを備えていることを特徴としている。
【００３４】
上記の構成によれば、節電に関するアドバイスをユーザに提供するだけでなく、当該アドバイスに基づいて、複数の機器を一括制御することによって、ユーザの生活をより快適化および充実化することができる家屋が実現される。
【００３５】
なお、上述した電力管理装置は、コンピュータによって実現してもよく、この場合には、コンピュータを上記各部として動作させることにより上記コンテンツ再生装置をコンピュータにて実現させるプログラム、およびそれを記録したコンピュータ読み取り可能な記録媒体も、本発明の範疇に入る。
【発明の効果】
【００３６】
本発明に係る電力管理装置は、節電に関するアドバイスをユーザに対して提供する。また、アドバイスをユーザに提供するだけでなく、当該アドバイスに基づいて、複数の機器を一括制御することができる。すなわち、ユーザが提供されたアドバイスを採用しようとする際には、ユーザが自ら操作をする必要がないので、ユーザを煩わせることがない。したがって、節電の効果が確実に得られると共に、ユーザの生活をより快適化および充実化することができる。
【図面の簡単な説明】
【００３７】
【図１】本発明の一実施形態に係る電力管理システムの構成を示す図である。
【図２】本発明の一実施形態に係る家屋２の構成を示す概略図である。
【図３】本発明の一実施形態に係る機器情報データベースに登録されている情報の詳細を示す図である。
【図４】アドバイスをテレビに表示する場合の一表示例を示す図である。
【図５】アドバイスをテレビに表示する場合の一表示例を示す図である。
【図６】アドバイスを携帯電話機に表示する場合の一表示例を示す図である。
【図７】アドバイスをテレビに表示する場合の一表示例を示す図である。
【図８】トリガーの条件を変更する場合のテレビの画面表示例を示す図である。
【図９】表示するアドバイスの文章を変更する場合のテレビの画面表示例を示す図である。
【図１０】一括制御の内容を変更する場合のテレビの画面表示例を示す図である。
【発明を実施するための形態】
【００３８】
（家屋２の構成）
本実施形態に係る家屋２の詳しい構成について、図２を参照して説明する。図２は、本発明の一実施形態に係る家屋２の構成を示す概略図である。
【００３９】
図２に示すように、家屋２は、リビングルーム６、ダイニングキッチン８、子供部屋１０、廊下４、および玄関（図示せず）を有している。さらに、家屋２には、太陽光発電装置１２が屋根等に外付けされており、当該太陽光発電装置１２のパワーコンディショナ１４も設けられている。また、家屋２は、玄関のドア１６とは別に、家屋２の外へと繋がるドア２２を有している。家屋２の玄関のドア１６は、廊下４に繋がっており、廊下４には、電力管理アドバイス装置１、電力モニタ１８、および配電盤２０が設けられている。
【００４０】
リビングルーム６には、電灯３０，３２が配されており、カーテン２６を有する窓２４が取り付けられている。さらに、エアコン２８、加湿器３８、および空気清浄機４０が備えられている。リビングルーム６には、テレビ３４およびＢＤレコーダ３６も設けられている。当該リビングルーム６は、図示しない扉８６を介して廊下４と接続されており、図示しない扉８０を介してダイニングキッチン８と接続されている。
【００４１】
ダイニングキッチン８には、電灯４８が配されており、カーテン４４を有する窓４２と換気扇６０とが取り付けられている。さらに、エアコン４６、加湿器５２、および空気清浄機５４が備えられている。ダイニングキッチン８には、冷蔵庫５０、テレビ５６、およびＤＶＤプレーヤ５８も設けられている。当該ダイニングキッチン８は、図示しない扉８２を介して子供部屋１０と接続されている。
【００４２】
子供部屋１０には、電灯６８が配されており、カーテン６４を有する窓６２と換気扇７８とが取り付けられている。さらに、エアコン６６、加湿器７２、空気清浄機７４、および除湿機７６が備えられている。子供部屋１０には、洗濯機７０も設けられている。当該子供部屋１０は、図示しない扉８４を介して廊下４と接続されている。
【００４３】
（電力管理システム９０の構成）
図１は、本発明の一実施形態に係る電力管理システム９０の構成を示す図である。この図に示すように、電力管理システム９０は、少なくとも電力管理アドバイス装置１、パワーコンディショナ１４、テレビ３４、複数の機器８２，８４，８６、および携帯電話機（携帯装置）８０を含んでいる。なお、図１に示したのはあくまで電力管理システム９０を構成する一部の機器に過ぎない。実際には、図２に示す全ての機器が、電力管理システム９０を構成している。すなわち家屋２は電力管理システム９０を備えている。
【００４４】
電力管理アドバイス装置１は、発電量計測部（発電量計測手段）１００、発電量比較部１０２、機器状態取得部（状態取得手段）１０４、機器状態比較部１０６、消費電力計測部（消費電力計測手段）１０８、消費電力比較部（比較手段）１１０、アドバイス生成部（アドバイス生成手段）１１２、アドバイス出力部（アドバイス出力手段）１１４、一括制御許可部１１６、一括制御実行部（制御実行手段）１１８、機器情報データベース（機器情報ＤＢ）１２０、および記録用データベース（記録用ＤＢ）１２２を備えている。なお、本図では、アドバイス出力部１１４は、テレビ３４および携帯電話機８０に接続されているが、必ずしもこれに限定されるわけではなく、例えば、電力モニタ１８に接続しても良い。また、アドバイス出力部１１４は、必ずしも１つのテレビに接続されている必要はなく、テレビ３４およびテレビ５６に接続する等、家屋２内の全てのテレビに接続することができる。テレビ３４，５６へのアドバイス出力方法の例を以下に示す。
【００４５】
アドバイスの出力方法としては、（１）テレビに設けられた複数の外部入力端子うち、いずれかの端子に電力管理アドバイス装置１を接続する方法、（２）テレビ番組が放送されていないチャンネルに微弱電波で送信する方法、（３）電力管理アドバイス装置１にウェブサーバ機能を設け、アドバイスデータをホームページデータとして生成し、テレビからインターネットに接続して当該ウェブサーバにアクセスする方法、（４）テレビを視聴しながら、別のアプリケーションプログラムを起動することができるウィジェット機能をテレビに設け、当該プログラムを介して表示する方法、（５）緊急警報放送の仕組み、またはそれに準じた仕組みを用いて表示する方法、等が挙げられる。
【００４６】
電力管理アドバイス装置１は、図２に示す各機器とそれぞれ接続されており、互いに通信可能である。図１には、電力管理アドバイス装置１に接続されている機器のうち特定の幾つかのものを示す。
【００４７】
図１に示す複数の機器８２，８４，８６は、いずれも、図２に示す何らかの機器（電力管理アドバイス装置１を除く）に相当する。
【００４８】
（機器情報ＤＢの中身）
図３は、機器情報ＤＢ１２０に登録されている情報の詳細を示す図である。この図に示すように、家屋２に備えられる各機器、各設備が、家屋２内のいずれの場所（部屋、廊下、玄関）に存在するのかを示す情報は、予め機器情報ＤＢ１２０に登録されている。したがって、電力管理装置１は、状態／値を取得する対象の装置が家屋２内のどの場所にあるのか、または、制御対象の機器が家屋２内のどの場所にあるのかを、機器情報ＤＢ１２０に登録されている情報に基づいて特定することができる。
【００４９】
（電力管理システム９０の動作）
電力管理システム９０の動作について、具体例を挙げて説明する。
【００５０】
まず、機器の状態に基づいて、アドバイスを生成する場合の電力管理システム９０の一動作例を説明する。機器状態取得部１０４は、複数の機器８２，８４，８６のうち、少なくともいずれかの現時点での機器状態を取得する。機器状態とは、具体的には、機器８２，８４，８６の電源オン／オフの状態であったり、設定されているモードの状態（例えば、暖房・冷房等）であったり、設定されているレベル（値）（例えば、設定温度等）、あるいは当該機器８２，８４，８６が有するセンサ等を通じて測定した値（例えば、湿度等の測定値）等であったりする。
【００５１】
機器状態取得部１０４が取得した機器状態は、アドバイス生成部１１２および一括制御許可部１１６に出力される。アドバイス生成部１１２では、入力された機器状態に基づき、当該機器状態に応じたアドバイスを生成する。アドバイス生成部１１２が生成したアドバイスはアドバイス出力部１１４に出力され、当該アドバイス出力部１１４が入力されたアドバイスを携帯電話機８０またはテレビ３４に出力する。これによって、機器状態取得部１０４が取得した機器状態に応じたアドバイスが携帯電話機８０またはテレビ３４の画面に表示され、ユーザは当該アドバイスを確認することができる。ユーザは、表示されたアドバイスに従うか否かを、携帯電話機８０またはテレビ３４のリモートコントローラを介して決定（指示）することができる。ユーザがアドバイスに従うか否かを決定した情報は、携帯電話機８０またはテレビ３４によって電力管理アドバイス装置１に送信される。
【００５２】
一方、一括制御許可部１１６は、入力された機器状態に基づき、当該機器状態に応じた制御コマンドを生成する。ユーザが表示されたアドバイスに従うことを決定すると、その情報は電力管理アドバイス装置１に送信され、一括制御許可部１１６は、生成した制御コマンドを一括制御実行部１１８に出力する。一括制御実行部１１８は、制御コマンドを複数の機器８２，８４，８６のうち、特定の機器に出力し、制御コマンドを入力された機器は、当該制御コマンドに応じて動作する。このようにして、複数の機器８２，８４，８６のうち、少なくともいずれかの現時点での機器状態に応じたアドバイスに基づいて、複数の機器８２，８４，８６のうち、特定の機器を一括制御することができる。この際、１つの機器の機器状態に基づいて、１つまたは複数の機器を一括制御することが可能であるし、複数の機器の機器状態に基づいて、１つまたは複数の機器を一括制御することも可能である。これによれば、複数の機器８２，８４，８６のうち、少なくともいずれかの現時点での機器状態に応じたアドバイスがユーザに提供される。さらに、ユーザが当該アドバイスに従う場合には、当該アドバイスに基づいて、特定の機器が一括制御される。このように、ユーザが提供されたアドバイスを採用しようとする際には、ユーザが自ら操作をする必要がないので、ユーザを煩わせることがない。したがって、節電の効果が確実に得られると共に、ユーザの生活をより快適化および充実化することができる。
【００５３】
なお、機器状態取得部１０４が取得した機器状態を、他の機器状態と比較した上でアドバイスを生成しても良い。他の機器状態とは、具体的には、予め定められた基準レベル（基準値）等（例えば、規定の温度等）である。この場合には、機器状態取得部１０４が取得した機器状態は、記録用ＤＢ１２２に出力され、記録される。当該記録用ＤＢ１２２には、機器状態取得部１０４が取得した機器状態以外にも、予め定められた基準レベル（基準値）等が記録されている。
【００５４】
機器状態比較部１０６は、記録用ＤＢ１２２に記録されている現時点での機器状態と、他の機器状態とを比較する。その比較結果は、アドバイス生成部１１２および一括制御許可部１１６に出力される。この際、例えば、機器８２，８４，８６のうち、複数の機器からそれぞれの現時点での機器状態を取得し、取得した機器状態をそれぞれ比較しても良い（例えば、現時点での外気温度と室内温度との比較等）。あるいは、１つの機器における機器状態の経時的な変化（遷移）を比較しても良い。
【００５５】
アドバイス生成部１１２では、入力された比較結果に基づき、当該比較結果に応じたアドバイスを生成する。一方、一括制御許可部１１６は、入力された比較結果に基づき、当該比較結果に応じた制御コマンドを生成する。これ以後の処理は、上述した例と同様であるため、ここでは言及しない。このようにして、複数の機器８２，８４，８６のうち、少なくともいずれかの現時点での機器状態と、他の機器状態の比較結果に応じたアドバイスに基づいて、複数の機器８２，８４，８６のうち、特定の機器を一括制御することができる。これによれば、現時点での機器状態と、他の機器状態とを考慮した上でユーザに対して適切なアドバイスを提供することができる。例えば、現時点での機器状態が、予め定められた基準レベルから外れており、無駄な電力を消費していた場合には、当該機器状態を基準レベルに一致させるようなアドバイスをユーザに提供することができる。これによって、無駄な電力の消費が抑えられ、節電効果が誘起される。
【００５６】
以上では、機器状態を取得する対象の機器と、一括制御をする対象の機器とが同一のものである場合を想定しているが、必ずしもこれに限定されるわけではない。例えば、上記複数の機器８２，８４，８６のいずれとも異なる他の機器の機器状態を取得し、当該機器状態に応じたアドバイスを生成する構成にしても良い。そして、生成したアドバイスに基づいて、複数の機器８２，８４，８６のうち、特定の機器を一括制御しても良い。
【００５７】
続いて、消費電力に基づいて、アドバイスを生成する場合の電力管理システム９０の一動作例を説明する。消費電力計測部１０８は、複数の機器８２，８４，８６におけるそれぞれの現時点での消費電力を計測する。消費電力計測部１０８が計測した消費電力は、記録用ＤＢ１２２に出力され、記録される。当該記録用ＤＢ１２２には、消費電力計測部１０８が計測した消費電力以外に、過去に消費電力計測部１０８が計測した消費電力の履歴が記録されている。
【００５８】
消費電力比較部１１０は、記録用ＤＢ１２２に記録されている、現時点での消費電力と、過去の消費電力の履歴とを比較する。その比較結果は、アドバイス生成部１１２および一括制御許可部１１６に出力される。この際、消費電力を経時的に測定し、当該消費電力と過去の消費電力の履歴との比較結果が、所定の回数連続して特定の比較結果になった場合に、当該比較結果をアドバイス生成部１１２および一括制御許可部１１６に出力する構成等にすることも可能である。
【００５９】
アドバイス生成部１１２では、入力された比較結果に基づき、当該比較結果に応じたアドバイスを生成する。一方、一括制御許可部１１６は、入力された比較結果に基づき、当該比較結果に応じた制御コマンドを生成する。これ以後の処理は、上述した例と同様であるため、ここでは言及しない。このようにして、複数の機器８２，８４，８６におけるそれぞれの現時点での消費電力と、過去の消費電力の履歴との比較結果に応じたアドバイスに基づいて、複数の機器８２，８４，８６のうち、特定の機器を一括制御することができる。例えば、現時点での消費電力が過去の消費電力を上回った場合には、無駄な電力を消費している可能性があることをユーザに対して喚起し、その対応策が提供される。このように、過去と比較して過度な電力消費が観測された場合等には、その異常をユーザに知らせるので、無駄な電力を消費するのを防ぐことができる。
【００６０】
次に、太陽光発電装置１２の発電量に基づいて、アドバイスを生成する場合の電力管理システム９０の一動作例を説明する。発電量計測部１００は、現在の発電量をパワーコンディショナ１４から計測する。発電量計測部１００が計測した発電量は、アドバイス生成部１１２および一括制御許可部１１６に出力される。
【００６１】
アドバイス生成部１１２では、入力された発電量に基づき、当該発電量に応じたアドバイスを生成する。一方、一括制御許可部１１６は、入力された発電量に基づき、当該発電量に応じた制御コマンドを生成する。これ以後の処理は、上述した例と同様であるため、ここでは言及しない。このようにして、太陽光発電装置１２の発電量に応じたアドバイスに基づいて、複数の機器８２，８４，８６のうち、特定の機器を一括制御することができる。
【００６２】
なお、発電量計測部１００が計測した発電量を、家屋２における買電量と比較した上でアドバイスを生成しても良い。この場合には、発電量計測部１００が計測した発電量は、記録用ＤＢ１２２に出力され、記録される。当該記録用ＤＢ１２２には、発電量計測部１００が計測した発電量以外にも、家屋２における買電量等が記録されている。
【００６３】
発電量比較部１０２は、記録用ＤＢ１２２に記録されている現時点での発電量と、家屋２における買電量とを比較する。その比較結果は、アドバイス生成部１１２および一括制御許可部１１６に出力される。
【００６４】
アドバイス生成部１１２では、入力された比較結果に基づき、当該比較結果に応じたアドバイスを生成する。一方、一括制御許可部１１６は、入力された比較結果に基づき、当該比較結果に応じた制御コマンドを生成する。これ以後の処理は、上述した例と同様であるため、ここでは言及しない。このようにして、太陽光発電装置１２の発電量と、家屋２における買電量との比較結果に応じたアドバイスに基づいて、複数の機器８２，８４，８６のうち、特定の機器を一括制御することができる。これによれば、発電量と買電量とを考慮した上でユーザに対して適切なアドバイスを提供することができる。例えば、発電量＜買電量であった場合には、買電量をできるだけ抑えるためのアドバイスをユーザに提供することによって、節電効果を奏することができる。
【００６５】
（アドバイスの生成）
電力管理装置１において、アドバイス生成部１１２に入力される情報は、アドバイスを生成する際のトリガーに相当する。また、当該トリガーと、当該トリガーに対応するアドバイスとは、電力管理装置１において、互いに関連付けられて図示しないメモリに予め格納されている。すなわち、想定されるトリガーごとに、対応するアドバイスは予め用意されている。したがって、「アドバイスを生成する」ことは、入力された情報（トリガー）に対応するアドバイスをメモリから検索して取得する、ことを意図している。
【００６６】
（制御コマンドの生成）
電力管理装置１において、一括制御許可部１１６に入力される情報は、制御コマンドを生成する際のトリガーとなる。また、当該トリガーと、当該トリガーに対応する制御コマンドとは、電力管理装置１において、互いに関連付けられて図示しないメモリに予め格納されている。すなわち、想定されるトリガーごとに、対応する制御コマンドは予め用意されている。したがって、「制御コマンドを生成する」ことは、入力された情報（トリガー）に対応する制御コマンドをメモリから検索して取得する、ことを意図している。
【００６７】
（暖房時の節電制御）
以下では、エアコンおよびカーテンを一括制御する例を説明する。なお、季節は冬であり、エアコン２８の動作を暖房にしていることを前提にする。
【００６８】
発電量計測部１００は、現在の発電量をパワーコンディショナ１４から計測し、発電量比較部１０２に出力する。発電量比較部１０２は、計測された発電量と、家屋２における買電量とを比較する。この例では、発電量＜買電量であるので、その比較結果をアドバイス生成部１１２および一括制御許可部１１６に出力する。
【００６９】
機器状態取得部１０４は、リビングルーム６のエアコン２８から、温度の設定値を取得する。機器状態比較部１０６は、取得された設定値と、規定値（１８℃）とを比較する。本例では、設定値＞規定値であるので、その比較結果をアドバイス生成部１１２および一括制御許可部１１６に出力する。
【００７０】
アドバイス生成部１１２は、入力された情報に基づき、「エアコンの設定温度が高いようです。設定値を１８℃にしませんか？カーテンを閉めるとお部屋の温度が逃げませんよ。」というアドバイスを生成する。アドバイス出力部１１４はこのアドバイスをテレビ３４に出力する。その結果、テレビ３４の画面にアドバイスが表示される。その表示例を図４に示す。図４は、アドバイスをテレビ３４に表示する場合の一表示例を示す図である。図４に示すように、生成されたアドバイスは、テレビ３４の画面上に表示される。この際、表示されたアドバイスに従うか否かに対して、（ａ）はい、（ｂ）いいえの２つの選択肢が表示される。ユーザは、「はい」および「いいえ」のいずれかの入力を行うことによって、表示されたアドバイスに従うか否かを決定することができる。なお、以上では、生成されたアドバイスをテレビ３４に表示する構成を説明したが、必ずしもこれに限定されるわけではない。例えば、携帯電話機８０に表示させても良いし、電力モニタ１８に表示させても良い。
【００７１】
一括制御許可部１１６は、入力された情報に基づき、エアコンの温度設定値を規定値（１８℃）に設定する制御コマンドＡと、部屋のカーテンを閉める制御コマンドＢとを生成する。ユーザが、テレビ３４の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡをエアコン２８に出力し、制御コマンドＢをエアコン２８が設置されているカーテン２６に出力する。
【００７２】
これらの処理によって、暖房運転時におけるエアコン２８の温度設定値が規定値（１８℃）に変更され、かつ、カーテン２６が自動的に閉まる。したがって、リビングルーム６の温度が下がりにくくなり、かつ、エアコン２８の消費電力量が低減する。その結果、節電効果が得られる。
【００７３】
なお、家屋２内において稼動している全てのエアコン２８，４８，６６に対して、制御コマンドＡをそれぞれ出力しても良い。また、各部屋のカーテン２６，４４，６４に対して、制御コマンドＢを出力しても良い。これにより、全てのエアコン２８，４８，６６の温度設定値が１８℃に設定され、全てのカーテン２６，４４，６４が閉じるので、節電効果がより一層高まる。
【００７４】
（冷房時の節電制御）
以下では、エアコンおよびカーテンを一括制御する他の例を説明する。なお、季節は夏であり、エアコン２８の動作を冷房にしていることを前提にする。
【００７５】
発電量計測部１００は、現在の発電量をパワーコンディショナ１４から計測し、発電量比較部１０２に出力する。発電量比較部１０２は、計測された発電量と、家屋２における買電量とを比較する。この例では、発電量＜買電量であるので、その比較結果をアドバイス生成部１１２および一括制御許可部１１６に出力する。
【００７６】
機器状態取得部１０４は、リビングルーム６のエアコン２８から、温度の設定値を取得する。機器状態比較部１０６は、取得された設定値と、規定値（２８℃）とを比較する。本例では、設定値＜規定値であるので、その比較結果をアドバイス生成部１１２および一括制御許可部１１６に出力する。
【００７７】
アドバイス生成部１１２は、入力された情報に基づき、「エアコンの設定温度が低いようです。設定値を２８℃にしませんか？カーテンを閉めると屋外の熱を遮ることができますよ。」というアドバイスを生成する。アドバイス出力部１１４はこのアドバイスをテレビ３４に出力する。その結果、テレビ３４の画面にアドバイスが表示される。
【００７８】
一括制御許可部１１６は、入力された情報に基づき、エアコンの温度設定値を規定値（２８℃）に設定する制御コマンドＡと、部屋のカーテンを閉める制御コマンドＢとを生成する。ユーザが、テレビ３４の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡをエアコン２８に出力し、制御コマンドＢをエアコン２８が設置されているリビングルーム６のカーテン２６に出力する。
【００７９】
これらの処理によって、冷房運転時におけるエアコン２８の温度設定値が規定値（２８℃）に変更され、かつ、カーテン２６が自動的に閉まる。したがって、リビングルーム６の温度が上がりにくくなり、エアコン２８の消費電力量が低減する。その結果、節電効果が得られる。
【００８０】
なお、家屋２内において稼動している全てのエアコン２８，４８，６６に対して、制御コマンドＡをそれぞれ出力しても良い。また、各部屋のカーテン２６，４４，６４に対して、制御コマンドＢを出力しても良い。これにより、全てのエアコン２８，４８，６６の温度設定値が２８℃に設定され、全てのカーテン２６，４４，６４が閉じるので、節電効果がより一層高まる。
【００８１】
（暖房時の複数エアコンの一括制御）
以下では、複数のエアコンを一括制御する例を説明する。なお、季節は冬であり、エアコン２８の動作を暖房にしていることを前提にする。
【００８２】
発電量計測部１００は、現在の発電量をパワーコンディショナ１４から計測し、発電量比較部１０２に出力する。発電量比較部１０２は、計測された発電量と、家屋２における買電量とを比較する。この例では、発電量＞買電量であるので、その比較結果をアドバイス生成部１１２および一括制御許可部１１６に出力する。
【００８３】
機器状態取得部１０４は、３台のエアコン２８，４８，６６から、それぞれの温度設定値を取得する。機器状態比較部１０６は、取得された設定値と、規定値（１８℃）とを比較する。本例では、いずれかの設定値＜規定値であるので、その比較結果をアドバイス生成部１１２および一括制御許可部１１６に出力する。
【００８４】
アドバイス生成部１１２は、入力された情報に基づき、「発電量が消費電量を上回っているので、もう少し電気を使っても大丈夫です。エアコンの温度設定値を２℃上げましょうか？」というアドバイスを生成する。アドバイス出力部１１４はこのアドバイスをテレビ３４に出力する。その結果、テレビ３４の画面にアドバイスが表示される。その表示例を図５に示す。図５は、アドバイスをテレビ３４に表示する場合の一表示例を示す図である。図４では、テレビ３４の画面全体にアドバイスを表示する例を示したが、図５に示すように、テレビ３４の画面の一部に表示させても良い。これによれば、ユーザが番組を視聴している際にアドバイスが表示されても、視聴している番組の妨げにならない。また、番組を視聴しながら「はい」および「いいえ」のいずれかの入力を行うことによって、表示されたアドバイスに従うか否かを決定することができる。
【００８５】
一括制御許可部１１６は、入力された情報に基づき、エアコンの温度設定値を現在の値よりも２℃高い温度に設定する制御コマンドを生成する。ユーザが、テレビ３４の画面に表示されたアドバイスに対して「はい」の入力を行うと、一括制御許可部１１６は、生成した制御コマンドを一括制御実行部１１８に出力する。一括制御実行部１１８は、制御コマンドをエアコン２８，４８，６６に出力する。
【００８６】
これらの処理によって、暖房運転時におけるエアコン２８，４８，６６の温度設定値がいずれも２℃上がるので、消費電力はそれぞれ上昇する。しかし発電量＞買電量を上回っているので、ユーザに対して電気料金の追加負担を強いることなく、各部屋の温度を上げることができる。
【００８７】
（冷房時の複数エアコンの一括制御）
以下では、複数のエアコンを一括制御する他の例を説明する。なお、季節は夏であり、エアコン２８の動作を冷房にしていることを前提にする。
【００８８】
発電量計測部１００は、現在の発電量をパワーコンディショナ１４から計測し、発電量比較部１０２に出力する。発電量比較部１０２は、計測された発電量と、家屋２における買電量とを比較する。この例では、発電量＞買電量であるので、その比較結果をアドバイス生成部１１２および一括制御許可部１１６に出力する。
【００８９】
機器状態取得部１０４は、３台のエアコン２８，４８，６６から、それぞれの温度設定値を取得する。機器状態比較部１０６は、取得された設定値と、規定値（２８℃）とを比較する。本例では、いずれかの設定値＜規定値であるので、その比較結果をアドバイス生成部１１２および一括制御許可部１１６に出力する。
【００９０】
アドバイス生成部１１２は、入力された情報に基づき、「発電量が消費電量を上回っているので、もう少し電気を使っても大丈夫です。エアコンの温度設定値を２℃下げましょうか？」というアドバイスを生成する。アドバイス出力部１１４はこのアドバイスをテレビ３４に出力する。その結果、テレビ３４の画面にアドバイスが表示される。
【００９１】
一括制御許可部１１６は、入力された情報に基づき、エアコンの温度設定値を現在の値よりも２℃低い温度に設定する制御コマンドを生成する。ユーザが、テレビ３４の画面に表示されたアドバイスに対して「はい」の入力を行うと、一括制御許可部１１６は、生成した制御コマンドを一括制御実行部１１８に出力する。一括制御実行部１１８は、制御コマンドをエアコン２８，４８，６６に出力する。
【００９２】
これらの処理によって、エアコン２８，４８，６６の温度設定値はいずれも２℃下がるので、消費電力はそれぞれ上昇する。しかし発電量＞買電量を上回っているので、ユーザは電気料金の追加負担なしに、各部屋の温度を下げることができる。
【００９３】
（暖房時の節電制御）
以下では、エアコンおよびカーテンを一括制御する例を説明する。なお、季節は冬であり、エアコン２８の動作を暖房にしていることを前提にする。また、エアコン２８は家屋２の外の温度を測定するセンサおよびリビングルーム６内の温度を取得するセンサをそれぞれ有している。
【００９４】
機器状態取得部１０４は、リビングルーム６のエアコン２８から、運転の状態を取得する。本例では「暖房状態」を取得し、アドバイス生成部１１２および一括制御許可部１１６に出力する。
【００９５】
機器状態取得部１０４は、さらに、エアコン２８から、家屋２の外の温度およびリビングルーム６内の温度を取得する。機器状態比較部１０６は、取得された外気温度と室内温度とを比較する。本例では、外気温度＞室内温度であるので、その比較結果をアドバイス生成部１１２および一括制御許可部１１６に出力する。
【００９６】
アドバイス生成部１１２は、入力された情報に基づき、「外の方が暖かいようです。エアコンを切って、窓をあけましょうか？」というアドバイスを生成する。アドバイス出力部１１４はこのアドバイスをテレビ３４に出力する。その結果、テレビ３４の画面にアドバイスが表示される。
【００９７】
一括制御許可部１１６は、入力された情報に基づき、エアコンの電源をオフにする制御コマンドＡと、部屋のカーテンを閉める制御コマンドＢとを生成する。ユーザが、テレビ３４の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡをエアコン２８に出力し、制御コマンドＢをエアコン２８が設置されているカーテン２６に出力する。
【００９８】
これらの処理によって、エアコン２８がオフになり、カーテン２６が自動的に開く。したがって、リビングルーム６の温度が上がり、エアコン２８の消費電力量が低減する。その結果、節電効果が得られる。
【００９９】
（冷房時の節電制御）
以下では、エアコンおよびカーテンを一括制御する例を説明する。なお、季節は夏であり、エアコン２８の動作を冷房にしていることを前提にする。また、エアコン２８は家屋２の外の温度を測定するセンサおよびリビングルーム６内の温度を取得するセンサをそれぞれ有している。
【０１００】
機器状態取得部１０４は、リビングルーム６のエアコン２８から、運転の状態を取得する。本例では「冷房状態」を取得し、アドバイス生成部１１２および一括制御許可部１１６に出力する。
【０１０１】
機器状態取得部１０４は、さらに、エアコン２８から、家屋２の外の温度およびリビングルーム６内の温度を取得する。機器状態比較部１０６は、取得された外気温度と室内温度とを比較する。本例では、外気温度＜室内温度であるので、その比較結果をアドバイス生成部１１２および一括制御許可部１１６に出力する。
【０１０２】
アドバイス生成部１１２は、入力された情報に基づき、「外の方が涼しいようです。エアコンを切って、窓をあけましょうか？」というアドバイスを生成する。アドバイス出力部１１４はこのアドバイスをテレビ３４に出力する。その結果、テレビ３４の画面にアドバイスが表示される。
【０１０３】
一括制御許可部１１６は、入力された情報に基づき、エアコンの電源をオフにする制御コマンドＡと、部屋のカーテンを閉める制御コマンドＢとを生成する。ユーザが、テレビ３４の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡをエアコン２８に出力し、制御コマンドＢをエアコン２８が設置されているカーテン２６に出力する。
【０１０４】
これらの処理によって、エアコン２８がオフになり、カーテン２６が自動的に開く。したがって、リビングルーム６の温度が下がり、エアコン２８の消費電力量が低減する。その結果、節電効果が得られる。
【０１０５】
（外出時の節電制御）
以下では、ユーザが家屋２から外出する場合における、複数機器を一括制御する例を説明する。なお、以下の例では、玄関に人感センサが備え付けられており、この人感センサが人を検知すると、玄関の電灯が自動的に点灯することを前提にする。また、リビングルーム６には留守番警報装置が備えられている。この装置は、外出時に窓が開く等するとユーザ（居住者）にメールで通知する機能を有する。
【０１０６】
機器状態取得部１０４は、玄関の電灯および玄関のドアの状態を取得し、機器状態比較部１０６に出力する。機器状態比較部１０６は、玄関の電灯の状態の遷移、および玄関のドアの状態の遷移を判定する。これにより、「玄関の電灯が自動的に点灯してから、玄関のドアが開錠され、ドアが開いてから施錠された」か否かを判定する。本例ではこの判定が「真」であるという判定結果をアドバイス生成部１１２および一括制御許可部１１６に出力する。
【０１０７】
また、機器状態取得部１０４は、リビングルーム６のエアコン２８から、運転の状態を取得する。さらに、機器状態取得部１０４は、リビングルーム６の電灯３０，３２から、動作状態を取得する。本例では「点灯状態」を取得する。機器状態取得部１０４は、取得した状態を全てアドバイス生成部１１２および一括制御許可部１１６に出力する。
【０１０８】
アドバイス生成部１１２は、入力された情報に基づき、「おでかけですか？エアコンや電灯が点きっぱなしのようですが、オフにしましょうか？」というアドバイスを生成する。アドバイス出力部はこのアドバイスを携帯電話機８０に送信する。その結果、携帯電話機８０の画面にアドバイスが表示される。その表示例を図６に示す。図６は、アドバイスを携帯電話機８０に表示する場合の一表示例を示す図である。携帯電話機８０にアドバイスを表示する方法の一例として、ユーザが所持する携帯電話機８０に、アドバイスを記載したメールを送信する方法が挙げられる。この場合には、図６に示すように、メールの本文中にアドバイスが表示される。この際、例えば、アドバイスを記載したメールを受信したことが一目で分かるような題名をメールに付しても良い（図中では、「Advice Mail」）。なお、メールの本文中には、表示されたアドバイスに従うか否かに対して、（ａ）はい、（ｂ）いいえの２つの選択肢が表示される。ユーザが、「はい」および「いいえ」のいずれかの入力を行うことによって、その情報が電力管理アドバイス装置１に送信される構成にすると良い。具体的には、例えば、「はい」および「いいえ」それぞれに対応したＵＲＬをメール中に表示しておき、ユーザが携帯電話機８０からいずれか一方のＵＲＬにアクセスすることによって、ユーザが「はい」および「いいえ」のどちらを選択したかが電力管理アドバイス装置１に通知される構成にすることができる。これによれば、ユーザは、外出中においても、携帯電話機８０を介して携帯電話機８０に表示されたアドバイスに従うか否かを決定することができる。
【０１０９】
一括制御許可部１１６は、入力された情報に基づき、エアコンの電源をオフにする制御コマンドＡと、電灯を消灯する制御コマンドＢと、留守番警報装置の電源をオンにする制御コマンドＣとを生成する。ユーザが、携帯電話機８０の画面に表示されたアドバイスに対して「はい」の入力を行うと、一括制御許可部１１６は、生成した制御コマンドＡ，Ｂ，Ｃを一括制御実行部１１８に出力する。一括制御実行部１１８は、制御コマンドＡをエアコン２８に出力し、制御コマンドＢを電灯３０，３２に出力し、制御コマンドＣを留守番警報装置に出力する。具体的には、上記した各機器の制御は、例えば、エコーネット（ＥＣＨＯＮＥＴ）またはＤＬＮＡ（Digital Living Network Alliance）等を使用することによって実現できる。
【０１１０】
これらの処理によって、ユーザの外出後にエアコン２８の電源がオフになり、電灯３０，３２が消灯する。さらに、留守番警報装置の電源がオンになる。したがって、節電効果が得られると共に、家屋２のセキュリティを自動的に高めることができる。
【０１１１】
（帰宅時の節電制御）
以下では、ユーザが家屋２に帰宅した場合における、複数機器を一括制御する例を説明する。なお、以下の例では、玄関に人感センサが備え付けられており、この人感センサが人を検知すると、玄関の電灯が自動的に点灯することを前提にする。また、リビングルーム６には留守番警報装置が備えられている。この装置は、外出時に窓が開く等するとユーザ（居住者）にメールで通知する機能を有する。
【０１１２】
機器状態取得部１０４は、玄関の電灯および玄関のドアの状態を取得し、機器状態比較部１０６に出力する。機器状態比較部１０６は、玄関の電灯の状態の遷移、および玄関のドアの状態の遷移を判定する。これにより、「玄関のドアが開錠され、ドアが開いてから、玄関の電灯が自動的に点灯した」か否かを判定する。本例ではこの判定が「真」であるという判定結果をアドバイス生成部１１２および一括制御許可部１１６に出力する。
【０１１３】
アドバイス生成部１１２は、入力された情報に基づき、「おかえりなさい。エアコンや電気を点けますか？」というアドバイスを生成する。アドバイス出力部はこのアドバイスを携帯電話機８０に送信する。その結果、携帯電話機８０の画面にアドバイスが表示される。
【０１１４】
一括制御許可部１１６は、入力された情報に基づき、エアコンの電源をオンにする制御コマンドＡと、電灯を点灯する制御コマンドＢと、留守番警報装置の電源をオフにする制御コマンドＣとを生成する。ユーザが、携帯電話機８０の画面に表示されたアドバイスに対して「はい」の入力を行うと、一括制御許可部１１６は、生成した制御コマンドＡ，Ｂ，Ｃを一括制御実行部１１８に出力する。一括制御実行部１１８は、制御コマンドＡをエアコン２８に出力し、制御コマンドＢを電灯３０，３２に出力し、制御コマンドＣを留守番警報装置に出力する。
【０１１５】
これらの処理によって、ユーザの帰宅後にエアコン２８の電源がオンになり、電灯３０，３２が点灯する。さらに、留守番警報装置の電源がオフになる。したがって、帰宅後のユーザの手間を省くことができると共に、節電効果が得られる。
【０１１６】
（電灯の節電制御）
以下では、複数の電灯を一括制御する例を説明する。
【０１１７】
消費電力計測部１０８は、電灯３０，３２，４８，６８の消費電力をそれぞれ計測する。消費電力比較部１１０は、計測された各消費電力と、過去の消費電力の履歴とを比較する。これにより計測された各消費電力が履歴を超えた時間が３時間以上続いたか否かを判定する。本例では、電灯３０，３２，６８の消費電力が過去の履歴を超える時間が３時間以上続いているので、その判定結果をアドバイス生成部１１２および一括制御許可部１１６に出力する。
【０１１８】
アドバイス生成部１１２は、入力された情報に基づき、「リビングルームと子供部屋の電気が付けっぱなしになっているようですが、全て消灯しましょうか？」というアドバイスを生成する。アドバイス出力部１１４はこのアドバイスをテレビ３４に出力する。その結果、テレビ３４の画面にアドバイスが表示される。その表示例を図７に示す。図７は、アドバイスをテレビ３４に表示する場合の一表示例を示す図である。図４および図５では、表示されたアドバイスに従うか否かに対して、（ａ）はい、（ｂ）いいえの２つの選択肢が表示される例を示したが、例えば、３つ目の選択肢として、（ｃ）このアドバイスについては常に「はい」と回答、という選択肢を追加しても良い。ユーザが、「このアドバイスについては常に『はい』と回答」の入力を行うと、今後電灯３０，３２，４８，６８のいずれかが３時間以上点灯していた場合（電灯３０，３２，４８，６８のいずれかの消費電力が過去の履歴を超える時間が３時間以上続いた場合）には、該当する電灯は自動的に消灯されることになる。これによれば、上記した状態になる度に、「はい」および「いいえ」のいずれかの入力を行う必要がないので、ユーザの手間が省ける。
【０１１９】
一括制御許可部１１６は、入力された情報に基づき、電灯をオフにする制御コマンドを生成する。ユーザが、テレビ３４の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドを電灯３０，３２，４８に出力する。
【０１２０】
これらの処理によって、リビングルーム６およびダイニングキッチン８がそれぞれ自動的に消灯される。その結果、節電効果が得られる。
【０１２１】
なお、上記のアドバイスを出力した後、ユーザからの入力がないまま朝になったとする。このときアドバイス生成部１１２は、入力された情報に基づき、「昨夜、リビングルームおよびダイニングルームの電気が付けっぱなしになっていたようですが、全て消灯し、今晩以降も、同様の状況が発生したら、自動的に全て消灯しましょうか？」というアドバイスを生成する。アドバイス出力部１１４はこのアドバイスをテレビ３４に出力する。その結果、テレビ３４の画面にアドバイスが表示される。
【０１２２】
一括制御許可部１１６は、入力された情報に基づき、電灯をオフにする制御コマンドを生成する。ユーザが、テレビ３４の画面に表示されたアドバイスに対して「はい」の入力を行うと、一括制御許可部１１６は、生成した制御コマンドを一括制御実行部１１８に出力する。一括制御実行部１１８は、制御コマンドを電灯３０，３２，４８に出力する。
【０１２３】
これらの処理によって、リビングルーム６およびダイニングキッチン８がそれぞれ自動的に消灯される。その結果、節電効果が得られる。また、一括制御実行部１１８は、これ以降、消費電力量が履歴を越える状態が３時間以上続いた電灯に対し、自動的に、電灯をオフする制御コマンドを出力する。
【０１２４】
（ＤＶＤが挿入された場合の節電制御）
以下では、ＤＶＤプレーヤ５８に映画のＤＶＤが挿入された場合における、複数機器を一括制御する例を説明する。
【０１２５】
機器状態取得部１０４は、ダイニングキッチン８のＤＶＤプレーヤ５８から、ＤＶＤの挿入状態を取得する。本例では、ユーザが映画のＤＶＤを挿入したタイミングで取得し、取得した「挿入状態」をアドバイス生成部１１２および一括制御許可部１１６に出力する。
【０１２６】
アドバイス生成部１１２は、入力された情報に基づき、「ＤＶＤが挿入されましたが、映画をご覧になりますか？映画用に環境設定しますか？」というアドバイスを生成する。アドバイス出力部１１４はこのアドバイスを携帯電話機８０に送信する。その結果、携帯電話機８０の画面にアドバイスが表示される。
【０１２７】
一括制御許可部１１６は、入力された情報に基づき、テレビ５６の電源をオンにしてその外部入力をＤＶＤプレーヤが接続されている入力にする制御コマンドＡと、カーテンを閉める制御コマンドＢと、電灯を暗くする制御コマンドＣと、機器の電源をオフにする制御コマンドＤとを生成する。ユーザが、携帯電話機８０の画面に表示されたアドバイスに対して「はい」の入力を行うと、一括制御許可部１１６は、生成した制御コマンドＡ，Ｂ，Ｃを一括制御実行部１１８に出力する。一括制御実行部１１８は、制御コマンドＡをテレビ５６に出力し、制御コマンドＢをカーテン４４に出力し、制御コマンドＣを電灯４８に出力し、制御コマンドＤをテレビ５６に接続されたＤＶＤプレーヤ５８以外の他の機器（他のＤＶＤ機器、ＢＤ機器、ゲーム機器等）に出力する。
【０１２８】
これらの処理によって、テレビ５６の電源がオンになり、ＤＶＤに記録された映画の再生が始まる。また、ダイニングキッチン８が暗くなって、映画の鑑賞中には利用しない他の機器の電源が自動的に落とされる。したがって、節電効果が得られる。
【０１２９】
なお、ＤＶＤプレーヤ５８にＤＶＤが挿入されることによって、ＨＤＭＩ経由でテレビ５６の電源がオンになり、テレビ５６にアドバイスが表示される構成も可能である。この場合には、上記制御コマンドＡは、「テレビの外部入力をＤＶＤプレーヤが接続されている入力にする」という制御コマンドとなる。それ以外の制御コマンドは、上記したものと同じである。
【０１３０】
（ＤＶＤプレーヤ５８の電源が入った場合の節電制御）
以下では、ＤＶＤプレーヤ５８の電源が入った場合における、複数機器を一括制御する例を説明する。
【０１３１】
機器状態取得部１０４は、ダイニングキッチン８のＤＶＤプレーヤ５８から、ＤＶＤプレーヤ５８の電源状態を取得する。本例では、ユーザが電源を入れたタイミングで取得し、取得した「電源オン状態」をアドバイス生成部１１２および一括制御許可部１１６に出力する。
【０１３２】
アドバイス生成部１１２は、入力された情報に基づき、「ＤＶＤプレーヤの電源が入りましたが、映画をご覧になりますか？映画用に環境設定しますか？」というアドバイスを生成する。アドバイス出力部１１４はこのアドバイスを携帯電話機８０に送信する。その結果、携帯電話機８０の画面にアドバイスが表示される。
【０１３３】
一括制御許可部１１６は、入力された情報に基づき、テレビ５６の電源をオンにしてその外部入力をＤＶＤプレーヤが接続されている入力にする制御コマンドＡと、カーテンを閉める制御コマンドＢと、電灯を暗くする制御コマンドＣと、機器の電源をオフにする制御コマンドＤとを生成する。ユーザが、携帯電話機８０の画面に表示されたアドバイスに対して「はい」の入力を行うと、一括制御許可部１１６は、生成した制御コマンドＡ，Ｂ，Ｃを一括制御実行部１１８に出力する。一括制御実行部１１８は、制御コマンドＡをテレビ５６に出力し、制御コマンドＢをカーテン４４に出力し、制御コマンドＣを電灯４８に出力し、制御コマンドＤをテレビ５６に接続されたＤＶＤプレーヤ５８以外の他の機器（他のＤＶＤ機器、ＢＤ機器、ゲーム機器等）に出力する。
【０１３４】
これらの処理によって、テレビ５６の電源がオンになり、ＤＶＤに記録された映画の再生が始まる。また、ダイニングキッチン８が暗くなって、映画の鑑賞中には利用しない他の機器の電源が自動的に落とされる。したがって、節電効果が得られる。
【０１３５】
なお、ＤＶＤプレーヤ５８の電源が入ったことによって、ＨＤＭＩ経由でテレビ５６の電源がオンになり、テレビ５６にアドバイスが表示される構成も可能である。この場合には、上記制御コマンドＡは、「テレビの外部入力をＤＶＤプレーヤが接続されている入力にする」という制御コマンドとなる。それ以外の制御コマンドは、上記したものと同じである。
【０１３６】
（テレビ５６の外部入力がＤＶＤに切り替わった場合の節電制御）
以下では、テレビ５６の外部入力が、ＤＶＤプレーヤ５８が接続されている入力にされた場合における、複数機器を一括制御する例を説明する。
【０１３７】
機器状態取得部１０４は、ダイニングキッチン８のテレビ５６から、テレビ５６の外部入力状態を取得する。本例では、ユーザがテレビ５６の外部入力をＤＶＤプレーヤ５８が接続されている入力したタイミングで取得し、取得した「外部入力状態」をアドバイス生成部１１２および一括制御許可部１１６に出力する。
【０１３８】
アドバイス生成部１１２は、入力された情報に基づき、「テレビの表示がＤＶＤに切り替わりましたが、映画をご覧になりますか？映画用に環境設定しますか？」というアドバイスを生成する。アドバイス出力部１１４はこのアドバイスをテレビ５６に出力する。その結果、テレビ５６の画面にアドバイスが表示される。
【０１３９】
一括制御許可部１１６は、入力された情報に基づき、ＤＶＤプレーヤの電源をオンにする制御コマンドＡと、カーテンを閉める制御コマンドＢと、電灯を暗くする制御コマンドＣと、機器の電源をオフにする制御コマンドＤとを生成する。ユーザが、テレビ５６の画面に表示されたアドバイスに対して「はい」の入力を行うと、一括制御許可部１１６は、生成した制御コマンドＡ，Ｂ，Ｃ，Ｄを一括制御実行部１１８に出力する。一括制御実行部１１８は、制御コマンドＡをＤＶＤプレーヤ５８に出力し、制御コマンドＢをカーテン４４に出力し、制御コマンドＣを電灯４８に出力し、制御コマンドＤをテレビ５６に接続されたＤＶＤプレーヤ５８以外の他の機器（他のＤＶＤ機器、ＢＤ機器、ゲーム機器等）に出力する。
【０１４０】
これらの処理によって、ＤＶＤプレーヤ５８の電源がオンになり、ＤＶＤに記録された映画の再生が始まる。また、ダイニングキッチン８が暗くなって、映画の鑑賞中には利用しない他の機器の電源が自動的に落とされる。したがって、節電効果が得られる。
【０１４１】
（テレビ３４の外部入力がゲーム機に切り替わった場合の節電制御）
以下では、テレビ３４の外部入力に、ゲーム機が接続されている入力にされた場合における、複数機器を一括制御する例を説明する。なお、時刻は、外が明るい時間帯（７時〜１６時ごろ）であることを前提とする。また、テレビ３４は、テレビ３４の周囲の明るさを検知する明るさセンサを有している。
【０１４２】
機器状態取得部１０４は、リビングルーム６のテレビ３４から、テレビ３４の外部入力状態を取得する。本例では、ユーザがテレビ３４の外部入力をゲーム機が接続されている入力にしたタイミングで取得し、取得した「外部入力状態」をアドバイス生成部１１２および一括制御許可部１１６に出力する。
【０１４３】
機器状態取得部１０４は、さらに、テレビ３４の明るさセンサから、テレビ３４の周囲の明るさ状態を取得し、リビングルーム６の時計から、時刻データを取得する。取得した「明るさ状態」をアドバイス生成部１１２および一括制御許可部１１６に出力する。また、機器状態比較部１０６は、取得された時刻データと、規定値（７時〜１６時）とを比較する。本例では、現在時刻が７時〜１６時に含まれるので、その比較結果をアドバイス生成部１１２および一括制御許可部１１６に出力する。
【０１４４】
アドバイス生成部１１２は、入力された情報に基づき、「テレビの表示がゲーム機に切り替わりましたが、ゲームをしますか？ゲーム用に環境設定しますか？」というアドバイスを生成する。アドバイス出力部１１４はこのアドバイスをテレビ３４に出力する。その結果、テレビ３４の画面にアドバイスが表示される。
【０１４５】
一括制御許可部１１６は、入力された情報に基づき、ゲーム機の電源をオンにする制御コマンドＡと、電灯を所定の明るさに調整する制御コマンドＢと、機器の電源をオフにする制御コマンドＣと、カーテンを開ける制御コマンドＤとを生成する。ユーザが、テレビ３４の画面に表示されたアドバイスに対して「はい」の入力を行うと、一括制御許可部１１６は、生成した制御コマンドＡ，Ｂ，Ｃ，Ｄを一括制御実行部１１８に出力する。一括制御実行部１１８は、制御コマンドＡをゲーム機に出力し、制御コマンドＢを電灯３０，３２に出力し、制御コマンドＣをテレビ３４に接続されたゲーム機以外の他の機器（他のＤＶＤ機器、ＢＤ機器、ゲーム機器等）に出力し、制御コマンドＤをカーテン２６に出力する。
【０１４６】
これらの処理によって、ゲーム機の電源がオンになり、ゲームソフトに記録されたゲームをプレーすることができる。また、カーテンが開けられ、リビングルーム６の明るさが所定の明るさ（適切な明るさ）になって、ゲームのプレー中には利用しない他の機器の電源が自動的に落とされる。したがって、節電効果が得られる。
【０１４７】
（アニメーション映画のＤＶＤが挿入された場合の節電制御）
以下では、ＤＶＤプレーヤ５８にアニメーション映画のＤＶＤが挿入された場合における、複数機器を一括制御する例を説明する。なお、時刻は、外が明るい時間帯（７時〜１６時ごろ）であることを前提とする。また、テレビ５６は、テレビ５６の周囲の明るさを検知する明るさセンサを有している。
【０１４８】
機器状態取得部１０４は、ダイニングキッチン８のＤＶＤプレーヤ５８から、ＤＶＤの挿入状態を取得する。本例では、ユーザが映画のＤＶＤを挿入したタイミングで取得し、取得した「挿入状態」をアドバイス生成部１１２および一括制御許可部１１６に出力する。
【０１４９】
機器状態取得部１０４は、さらに、ＤＶＤプレーヤ５８から、挿入されたＤＶＤの映像のタイプ情報を取得する。本例では、挿入されたＤＶＤの映像のタイプはアニメーションであるので、その「判定結果」をアドバイス生成部１１２および一括制御許可部１１６に出力する。
【０１５０】
また、機器状態取得部１０４は、さらに、テレビ５６の明るさセンサから、テレビ５６の周囲の明るさ状態を取得し、ダイニングキッチン８の時計から、時刻データを取得する。取得した「明るさ状態」をアドバイス生成部１１２および一括制御許可部１１６に出力する。また、機器状態比較部１０６は、取得された時刻データと、規定値（７時〜１６時）とを比較する。本例では、現在時刻が７時〜１６時に含まれるので、その比較結果をアドバイス生成部１１２および一括制御許可部１１６に出力する。
【０１５１】
アドバイス生成部１１２は、入力された情報に基づき、「アニメをご覧になるようですね。アニメ用に環境設定しますか？」というアドバイスを生成する。アドバイス出力部１１４はこのアドバイスを携帯電話機８０に送信する。その結果、携帯電話機８０の画面にアドバイスが表示される。
【０１５２】
一括制御許可部１１６は、入力された情報に基づき、テレビ５６の電源をオンにしてその外部入力をＤＶＤプレーヤが接続されている入力にする制御コマンドＡと、電灯を所定の明るさに調整する制御コマンドＢと、機器の電源をオフにする制御コマンドＣと、カーテンを開ける制御コマンドＤとを生成する。ユーザが、携帯電話機８０の画面に表示されたアドバイスに対して「はい」の入力を行うと、一括制御許可部１１６は、生成した制御コマンドＡ，Ｂ，Ｃ，Ｄを一括制御実行部１１８に出力する。一括制御実行部１１８は、制御コマンドＡをテレビ５６に出力し、制御コマンドＢを電灯４８に出力し、制御コマンドＣをテレビ５６に接続されたＤＶＤプレーヤ５８以外の他の機器（他のＤＶＤ機器、ＢＤ機器、ゲーム機器等）に出力し、制御コマンドＤをカーテン２６に出力する。
【０１５３】
これらの処理によって、テレビ５６の電源がオンになり、ＤＶＤに記録された映画の再生が始まる。また、カーテンが開けられ、ダイニングキッチン８の明るさが所定の明るさ（適切な明るさ）になって、映画の鑑賞中には利用しない他の機器の電源が自動的に落とされる。したがって、節電効果が得られる。
【０１５４】
なお、ＤＶＤプレーヤ５８にアニメーション映画のＤＶＤが挿入されることによって、ＨＤＭＩ経由でテレビ５６の電源がオンになり、テレビ５６にアドバイスが表示される構成も可能である。この場合には、上記制御コマンドＡは、「テレビの外部入力をＤＶＤプレーヤが接続されている入力にする」という制御コマンドとなる。それ以外の制御コマンドは、上記したものと同じである。
【０１５５】
（ダイニングキッチン８に人が集まった場合の節電制御例１）
以下では、ダイニングキッチン８に人が集まった場合における、電灯およびエアコンを一括制御する例を説明する。なお、季節は夏であり、時刻は１８時〜１９時ごろであることを前提にする。また、ダイニングキッチン８は、室内に人がいるか否かを検出する人感センサを有している。
【０１５６】
機器状態取得部１０４は、ダイニングキッチン８の人感センサから、ダイニングキッチン８内の人の検出結果を取得する。本例では、ダイニングキッチン８に人が集まっているので、取得した「検出結果」をアドバイス生成部１１２および一括制御許可部１１６に出力する。
【０１５７】
機器状態取得部１０４は、さらに、電灯３０，３２，４８，６８の点灯状態を取得し、ダイニングキッチン８の時計から、時刻データを取得する。取得した「点灯状態」をアドバイス生成部１１２および一括制御許可部１１６に出力する。また、機器状態比較部１０６は、取得された時刻データと、規定値（１８時〜１９時）とを比較する。本例では、現在時刻が１８時〜１９時に含まれるので、その比較結果をアドバイス生成部１１２および一括制御許可部１１６に出力する。
【０１５８】
また、機器状態取得部１０４は、さらに、ダイニングキッチン８のエアコン４６から、ダイニングキッチン８内の温度を取得する。機器状態比較部１０６は、取得された室内温度と、規定値（２８℃）とを比較する。本例では、室内温度＞規定値であるので、その比較結果をアドバイス生成部１１２および一括制御許可部１１６に出力する。
【０１５９】
アドバイス生成部１１２は、入力された情報に基づき、「お食事の時間ですか？ダイニングやキッチン以外の部屋の電気を消して、ダイニングの電気を暗めにしましょうか？」というアドバイスを生成する。アドバイス出力部１１４はこのアドバイスを携帯電話機８０に送信する。その結果、携帯電話機８０の画面にアドバイスが表示される。
【０１６０】
一括制御許可部１１６は、入力された情報に基づき、電灯を所定の明るさに調整する制御コマンドＡと、エアコンの電源をオンにする制御コマンドＢと、機器の電源をオフにする制御コマンドＣを生成する。ユーザが、携帯電話機８０の画面に表示されたアドバイスに対して「はい」の入力を行うと、一括制御許可部１１６は、生成した制御コマンドＡ，Ｂ，Ｃを一括制御実行部１１８に出力する。一括制御実行部１１８は、制御コマンドＡを電灯４８に出力し、制御コマンドＢをエアコン４６に出力し、制御コマンドＣをダイニングキッチン８以外の部屋の電灯３０，３２，６８、およびエアコン２８，６６に出力する。
【０１６１】
これらの処理によって、ダイニングキッチン８の明るさが所定の明るさ（適切な暗さ）になり、ダイニングキッチン８のエアコン４６が稼動する。また、ダイニングキッチン８以外の部屋の電灯３０，３２，６８は消灯され、ダイニングキッチン８以外の部屋のエアコン２８，６６は停止するので、節電効果が得られる。
【０１６２】
（ダイニングキッチン８に人が集まった場合の節電制御例２）
以下では、ダイニングキッチン８に人が集まった場合における、電灯およびエアコンを一括制御する例を説明する。なお、家屋２の外が明るく、季節は冬であり、時刻は６時〜９時ごろ、または１１時〜１４時ごろであることを前提にする。また、家屋２は、家屋２の外の明るさを検知する明るさセンサを有している。
【０１６３】
機器状態取得部１０４は、ダイニングキッチン８の人感センサから、ダイニングキッチン８内の人の検出結果を取得する。本例では、ダイニングキッチン８に人が集まっているので、取得した「検出結果」をアドバイス生成部１１２および一括制御許可部１１６に出力する。
【０１６４】
機器状態取得部１０４は、さらに、家屋２の明るさセンサから、家屋２の外の明るさ状態を取得する。本例では、家屋２の外は明るいので、取得した「明るさ状態」アドバイス生成部１１２および一括制御許可部１１６に出力する。
【０１６５】
機器状態取得部１０４は、さらに、電灯３０，３２，６８の点灯状態を取得し、ダイニングキッチン８の時計から、時刻データを取得する。取得した「点灯状態」をアドバイス生成部１１２および一括制御許可部１１６に出力する。また、機器状態比較部１０６は、取得された時刻データと、規定値（６時〜９時、または１１時〜１４時）とを比較する。本例では、現在時刻が６時〜９時、または１１時〜１４時に含まれるので、その比較結果をアドバイス生成部１１２および一括制御許可部１１６に出力する。
【０１６６】
また、機器状態取得部１０４は、さらに、ダイニングキッチン８のエアコン４６から、ダイニングキッチン８内の温度を取得する。機器状態比較部１０６は、取得された室内温度と、規定値（１８℃）とを比較する。本例では、室内温度＜規定値であるので、その比較結果をアドバイス生成部１１２および一括制御許可部１１６に出力する。
【０１６７】
アドバイス生成部１１２は、入力された情報に基づき、「お食事の時間ですか？ダイニングやキッチン以外の部屋の電気を消して、ダイニングのカーテンを開けましょうか？」というアドバイスを生成する。アドバイス出力部１１４はこのアドバイスを携帯電話機８０に送信する。その結果、携帯電話機８０の画面にアドバイスが表示される。
【０１６８】
一括制御許可部１１６は、入力された情報に基づき、電灯をオフにする制御コマンドＡと、カーテンを開ける制御コマンドＢと、エアコンの電源をオンにする制御コマンドＣと、エアコンの電源をオフにする制御コマンドＤとを生成する。ユーザが、携帯電話機８０の画面に表示されたアドバイスに対して「はい」の入力を行うと、一括制御許可部１１６は、生成した制御コマンドＡ，Ｂ，Ｃ，Ｄを一括制御実行部１１８に出力する。一括制御実行部１１８は、制御コマンドＡを電灯３０，３２，６８に出力し、制御コマンドＢをカーテン４４に出力し、制御コマンドＣをエアコン４６に出力し、制御コマンドＤをダイニングキッチン８以外の部屋のエアコン２８，６６に出力する。
【０１６９】
これらの処理によって、ダイニングキッチン８のカーテンが開けられ、ダイニングキッチン８のエアコン４６が稼動する。また、ダイニングキッチン８以外の部屋の電灯３０，３２，６８は消灯され、エアコン２８，６６は停止するので、節電効果が得られる。
【０１７０】
（ダイニングキッチン８に人が集まった場合の節電制御例３）
以下では、ダイニングキッチン８に人が集まった場合における、電灯およびエアコンを一括制御する例を説明する。なお、家屋２の外が暗く、季節は冬であり、時刻は６時〜９時ごろ、または１１時〜１４時ごろであることを前提にする。
【０１７１】
機器状態取得部１０４は、ダイニングキッチン８の人感センサから、ダイニングキッチン８内の人の検出結果を取得する。本例では、ダイニングキッチン８に人が集まっているので、取得した「検出結果」をアドバイス生成部１１２および一括制御許可部１１６に出力する。
【０１７２】
機器状態取得部１０４は、さらに、家屋２の明るさセンサから、家屋２の外の明るさ状態を取得する。本例では、家屋２の外は暗いので、取得した「明るさ状態」アドバイス生成部１１２および一括制御許可部１１６に出力する。
【０１７３】
機器状態取得部１０４は、さらに、電灯３０，３２，４８，６８の点灯状態を取得し、ダイニングキッチン８の時計から、時刻データを取得する。取得した「点灯状態」をアドバイス生成部１１２および一括制御許可部１１６に出力する。また、機器状態比較部１０６は、取得された時刻データと、規定値（６時〜９時、または１１時〜１４時）とを比較する。本例では、現在時刻が６時〜９時、または１１時〜１４時に含まれるので、その比較結果をアドバイス生成部１１２および一括制御許可部１１６に出力する。
【０１７４】
また、機器状態取得部１０４は、さらに、ダイニングキッチン８のエアコン４６から、ダイニングキッチン８内の温度を取得する。機器状態比較部１０６は、取得された室内温度と、規定値（１８℃）とを比較する。本例では、室内温度＜規定値であるので、その比較結果をアドバイス生成部１１２および一括制御許可部１１６に出力する。
【０１７５】
アドバイス生成部１１２は、入力された情報に基づき、「お食事の時間ですか？ダイニングやキッチン以外の部屋の電気を消して、ダイニングの電気を付けましょうか？」というアドバイスを生成する。アドバイス出力部１１４はこのアドバイスを携帯電話機８０に送信する。その結果、携帯電話機８０の画面にアドバイスが表示される。
【０１７６】
一括制御許可部１１６は、入力された情報に基づき、電灯を所定の明るさに調整する制御コマンドＡと、エアコンの電源をオンにする制御コマンドＢと、機器の電源をオフにする制御コマンドＣとを生成する。ユーザが、携帯電話機８０の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡを電灯３０，３２，４８，６８に出力し、制御コマンドＢをエアコン４６に出力し、制御コマンドＣをダイニングキッチン８以外の部屋の電灯３０，３２，６６およびエアコン２８，６６に出力する。
【０１７７】
これらの処理によって、ダイニングキッチン８の明るさが所定の明るさ（適切な明るさ）になり、ダイニングキッチン８のエアコン４６が稼動する。また、ダイニングキッチン８以外の部屋の電灯３０，３２，６８は消灯され、エアコン２８，６６は停止するので、節電効果が得られる。
【０１７８】
（室内の空気が汚れている場合の節電制御例１）
以下では、室内の空気が汚れている場合における、空気清浄機を一括制御する例を説明する。なお、リビングルーム６、および子供部屋１０には人がいることを前提にする。また、リビングルーム６、ダイニングキッチン８、および子供部屋１０は、室内に人がいるか否かを検出する人感センサと、室内の音声を検知する音センサとを有している。
【０１７９】
機器状態取得部１０４は、リビングルーム６、ダイニングキッチン８、および子供部屋１０の人感センサから室内の人の検出結果を取得し、音センサから室内の音声の検出結果を取得する。取得した室内の人の「検出結果」をアドバイス生成部１１２および一括制御許可部１１６に出力する。また、機器状態比較部１０６は、取得された室内の音の「検出結果」と、規定データ（くしゃみの音）とを比較する。本例では、子供部屋１０においてくしゃみの音が検出されたので、その比較結果をアドバイス生成部１１２および一括制御許可部１１６に出力する。
【０１８０】
アドバイス生成部１１２は、入力された情報に基づき、「空気が汚れているようですね。在室中の部屋の空気清浄機を稼動させましょうか？」というアドバイスを生成する。アドバイス出力部１１４はこのアドバイスを携帯電話機８０に送信する。その結果、携帯電話機８０の画面にアドバイスが表示される。
【０１８１】
一括制御許可部１１６は、入力された情報に基づき、空気清浄機の電源を制御する制御コマンドＡを生成する。ユーザが、携帯電話機８０の画面に表示されたアドバイスに対して「はい」の入力を行うと、一括制御許可部１１６は、生成した制御コマンドＡを一括制御実行部１１８に出力する。一括制御実行部１１８は、制御コマンドＡを空気清浄機４０，５４，７４に出力する。
【０１８２】
これらの処理によって、リビングルーム６および子供部屋１０の空気清浄機４０，７４が稼動する。また、人がいないダイニングキッチン８の空気清浄機５４の電源は切られるので、節電効果が得られる。
【０１８３】
（室内の空気が汚れている場合の節電制御例２）
以下では、室内の空気が汚れている場合における、空気清浄機を一括制御する例を説明する。なお、リビングルーム６、および子供部屋１０には人がいることを前提にする。また、空気清浄機４０，５４，７４は、周囲の花粉または埃の量を検知する空気センサを有している。
【０１８４】
機器状態取得部１０４は、リビングルーム６、ダイニングキッチン８、および子供部屋１０の人感センサから室内の人の検出結果を取得する。取得した室内の人の「検出結果」をアドバイス生成部１１２および一括制御許可部１１６に出力する。
【０１８５】
機器状態取得部１０４は、さらに、空気清浄機４０，５４，７４の空気センサから、周囲の花粉または埃の量の検出結果を取得する。機器状態比較部１０６は、取得された周囲の花粉または埃の量の「検出結果」と、規定値（予め定められた花粉の濃度、または埃の濃度）とを比較する。本例では、周囲の埃の濃度＞規定値であるので、その比較結果をアドバイス生成部１１２および一括制御許可部１１６に出力する。
【０１８６】
アドバイス生成部１１２は、入力された情報に基づき、「空気が汚れているようですね。在室中の部屋の空気清浄機を稼動させましょうか？」というアドバイスを生成する。アドバイス出力部１１４はこのアドバイスを携帯電話機８０に送信する。その結果、携帯電話機８０の画面にアドバイスが表示される。
【０１８７】
一括制御許可部１１６は、入力された情報に基づき、空気清浄機の電源を制御する制御コマンドＡを生成する。ユーザが、携帯電話機８０の画面に表示されたアドバイスに対して「はい」の入力を行うと、一括制御許可部１１６は、生成した制御コマンドＡを一括制御実行部１１８に出力する。一括制御実行部１１８は、制御コマンドＡを空気清浄機４０，５４，７４に出力する。
【０１８８】
これらの処理によって、リビングルーム６および子供部屋１０の空気清浄機４０，７４が稼動する。また、人がいないダイニングキッチン８の空気清浄機５４の電源は切られるので、節電効果が得られる。
【０１８９】
（室内の湿度が低下している場合の節電制御）
以下では、室内の湿度が低下している場合における、加湿器を一括制御する例を説明する。なお、リビングルーム６、および子供部屋１０には人がいることを前提にする。また、加湿器３８，５２，７２は、周囲の湿度を検知する湿度センサを有している。
【０１９０】
機器状態取得部１０４は、リビングルーム６、ダイニングキッチン８、および子供部屋１０の人感センサから室内の人の検出結果を取得する。取得した室内の人の「検出結果」をアドバイス生成部１１２および一括制御許可部１１６に出力する。
【０１９１】
機器状態取得部１０４は、さらに、加湿器３８，５２，７２の湿度センサから、周囲の湿度の検出結果を取得する。機器状態比較部１０６は、取得された周囲の湿度の「検出結果」と、規定値（予め定められた湿度）とを比較する。本例では、周囲の湿度＜規定値であるので、その比較結果をアドバイス生成部１１２および一括制御許可部１１６に出力する。
【０１９２】
アドバイス生成部１１２は、入力された情報に基づき、「空気が乾燥しています。在室中の部屋の加湿器を稼動させましょうか？」というアドバイスを生成する。アドバイス出力部１１４はこのアドバイスを携帯電話機８０に送信する。その結果、携帯電話機８０の画面にアドバイスが表示される。
【０１９３】
一括制御許可部１１６は、入力された情報に基づき、加湿器の電源を制御する制御コマンドＡを生成する。ユーザが、携帯電話機８０の画面に表示されたアドバイスに対して「はい」の入力を行うと、一括制御許可部１１６は、生成した制御コマンドＡを一括制御実行部１１８に出力する。一括制御実行部１１８は、制御コマンドＡを加湿器３８，５３，７２に出力する。
【０１９４】
これらの処理によって、リビングルーム６および子供部屋１０の加湿器３８，７２が稼動する。また、人がいないダイニングキッチン８の加湿器５２の電源は切られるので、節電効果が得られる。
【０１９５】
（洗濯中の室内の湿度が低下している場合の節電制御）
以下では、洗濯中の室内の湿度が低下している場合における、洗濯機を一括制御する例を説明する。なお、現段階は、洗濯物の脱水処理が終了した段階（乾燥処理をする前の大気状態）であることを前提にする。また、現在は夜間（１８時〜６時ごろ）であることを前提にする。
【０１９６】
機器状態取得部１０４は、洗濯機７０から、洗濯機の処理状態を取得する。本例では、洗濯機が脱水処理を終えたタイミングで取得し、取得した「処理状態」をアドバイス生成部１１２および一括制御許可部１１６に出力する。
【０１９７】
機器状態取得部１０４は、さらに、加湿器７２の湿度センサから、周囲の湿度の検出結果を取得する。機器状態比較部１０６は、取得された周囲の湿度の「検出結果」と、規定値（予め定められた湿度）とを比較する。本例では、周囲の湿度＜規定値であるので、その比較結果をアドバイス生成部１１２および一括制御許可部１１６に出力する。
【０１９８】
また、機器状態取得部１０４は、さらに、子供部屋の時計から、時刻データを取得する。機器状態比較部１０６は、取得された時刻データと、規定値（１８時〜６時）とを比較する。本例では、現在時刻が１８時〜６時に含まれるので、その比較結果をアドバイス生成部１１２および一括制御許可部１１６に出力する。
【０１９９】
アドバイス生成部１１２は、入力された情報に基づき、「空気が乾燥しているので、部屋干しでも乾くと思います。乾燥コースを中止しましょうか？」というアドバイスを生成する。アドバイス出力部１１４はこのアドバイスを携帯電話機８０に送信する。その結果、携帯電話機８０の画面にアドバイスが表示される。
【０２００】
一括制御許可部１１６は、入力された情報に基づき、洗濯機の電源を制御する制御コマンドＡと、電灯をオンにする制御コマンドＢとを生成する。ユーザが、携帯電話機８０の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡを洗濯機７０に出力し、制御コマンドＢを、洗濯物を干す部屋の電灯に出力する。
【０２０１】
これらの処理によって、洗濯機７０の乾燥処理は行われず、洗濯機７０の電源は切られるので、節電効果が得られる。
【０２０２】
（洗濯中の室内の湿度が上昇している場合の一括制御例１）
以下では、洗濯中の室内の湿度が上昇している場合における、窓および換気扇を一括制御する例を説明する。なお、現段階は、洗濯物の乾燥処理をしている段階であることを前提にする。また、子供部屋１０は、家屋２の外の湿度を検知する湿度センサを有している。
【０２０３】
機器状態取得部１０４は、洗濯機７０から、洗濯機の処理状態を取得する。本例では、洗濯機が乾燥処理を開始したタイミングで取得し、取得した「処理状態」をアドバイス生成部１１２および一括制御許可部１１６に出力する。
【０２０４】
機器状態取得部１０４は、さらに、子供部屋１０の湿度センサから、家屋２外の湿度の検出結果を取得する。機器状態比較部１０６は、取得された周囲の湿度の「検出結果」と、規定値（予め定められた湿度）とを比較する。本例では、外の湿度＜規定値であるので、その比較結果をアドバイス生成部１１２および一括制御許可部１１６に出力する。
【０２０５】
また、機器状態取得部１０４は、さらに、加湿器７２から、周囲の湿度の検出結果を取得する。機器状態比較部１０６は、取得された周囲の湿度の「検出結果」と、規定値（予め定められた湿度）とを比較する。本例では、周囲の湿度＞規定値であるので、その比較結果をアドバイス生成部１１２および一括制御許可部１１６に出力する。
【０２０６】
アドバイス生成部１１２は、入力された情報に基づき、「乾燥コースを実行しているため、湿度が上昇しています。窓を開けて湿度の低い外気を取り入れましょうか？」というアドバイスを生成する。アドバイス出力部１１４はこのアドバイスを携帯電話機８０に送信する。その結果、携帯電話機８０の画面にアドバイスが表示される。
【０２０７】
一括制御許可部１１６は、入力された情報に基づき、窓を開ける制御コマンドＡと、換気扇の電源をオンにする制御コマンドＢとを生成する。ユーザが、携帯電話機８０の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡを窓６２に出力し、制御コマンドＢを換気扇７８に出力する。
【０２０８】
これらの処理によって、窓６２は開けられ、換気扇７８は稼動する。その結果、子供部屋１０内には、乾燥した空気が入り込み、室内の湿度を低くすることができる。このように、除湿機を稼動せずに室内の湿度を低くすることができるので、節電効果が得られる。
【０２０９】
（洗濯中の室内の湿度が上昇している場合の一括制御例２）
以下では、洗濯中の室内の湿度が上昇している場合における、除湿機を一括制御する例を説明する。なお、現段階は、洗濯物の乾燥処理をしている段階であることを前提にする。
【０２１０】
機器状態取得部１０４は、洗濯機７０から、洗濯機７０の処理状態を取得する。本例では、洗濯機が乾燥処理を開始したタイミングで取得し、取得した「処理状態」をアドバイス生成部１１２および一括制御許可部１１６に出力する。
【０２１１】
機器状態取得部１０４は、さらに、加湿器７２から、周囲の湿度の検出結果を取得する。機器状態比較部１０６は、取得された周囲の湿度の「検出結果」と、規定値（予め定められた湿度）とを比較する。本例では、周囲の湿度＞規定値であるので、その比較結果をアドバイス生成部１１２および一括制御許可部１１６に出力する。
【０２１２】
アドバイス生成部１１２は、入力された情報に基づき、「乾燥コースを実行しているため、湿度が上昇しています。除湿機を稼動させましょうか？」というアドバイスを生成する。アドバイス出力部１１４はこのアドバイスを携帯電話機８０に送信する。その結果、携帯電話機８０の画面にアドバイスが表示される。
【０２１３】
一括制御許可部１１６は、入力された情報に基づき、除湿機の電源をオンにする制御コマンドＡを生成する。ユーザが、携帯電話機８０の画面に表示されたアドバイスに対して「はい」の入力を行うと、一括制御許可部１１６は、生成した制御コマンドＡを一括制御実行部１１８に出力する。一括制御実行部１１８は、制御コマンドＡを除湿機７６に出力する。
【０２１４】
これらの処理によって、除湿機７６が稼動するので、子供部屋１０内の湿度を下げることができる。
【０２１５】
（冷蔵庫の動作設定が「強」になっている場合の節電制御）
以下では、冷蔵庫の動作設定が「強」になっている場合における、冷蔵庫およびエアコンを一括制御する例を説明する。なお、季節は夏であることを前提にする。
【０２１６】
機器状態取得部１０４は、冷蔵庫５０から、冷蔵庫５０の動作設定状態を取得する。取得した「動作設定状態」は、アドバイス生成部１１２および一括制御許可部１１６に出力する。
【０２１７】
機器状態取得部１０４は、さらに、ダイニングキッチン８のエアコン４６から、ダイニングキッチン８内の温度を取得する。機器状態比較部１０６は、取得された室内温度と、規定値（２８℃）とを比較する。本例では、室内温度＞規定値であるので、その比較結果をアドバイス生成部１１２および一括制御許可部１１６に出力する。
【０２１８】
アドバイス生成部１１２は、入力された情報に基づき、「冷蔵庫の動作設定が「強」になっていますが、「弱」でも十分冷えるはずです。部屋の温度を下げて、冷蔵庫の動作設定を「弱」にしましょうか？」というアドバイスを生成する。アドバイス出力部１１４はこのアドバイスを携帯電話機８０に送信する。その結果、携帯電話機８０の画面にアドバイスが表示される。
【０２１９】
一括制御許可部１１６は、入力された情報に基づき、冷蔵庫の動作設定を変更する制御コマンドＡと、エアコンの電源をオンにする制御コマンドＢとを生成する。ユーザが、携帯電話機８０の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡを冷蔵庫５０に出力し、制御コマンドＢをエアコン４６に出力する。
【０２２０】
これらの処理によって、エアコン４６が稼動し、ダイニングキッチン８内の温度が低下する。その結果、冷蔵庫５０の動作設定を「弱」にしても、冷蔵庫５０内を十分に冷やすことができるので、節電効果が得られる。
【０２２１】
（冷蔵庫が配されている部屋の温度が高くなっている場合の節電制御例１）
以下では、冷蔵庫が配されている部屋の温度が高くなっている場合における、窓および換気扇を一括制御する例を説明する。なお、ダイニングキッチン８内の温度よりも家屋２外の温度の方が低いことを前提にする。
【０２２２】
機器状態取得部１０４は、エアコン４６から、家屋２の外の温度およびダイニングキッチン８内の温度を取得する。機器状態比較部１０６は、取得された外気温度と室内温度とを比較する。本例では、外気温度＜室内温度であるので、その比較結果をアドバイス生成部１１２および一括制御許可部１１６に出力する。
【０２２３】
アドバイス生成部１１２は、入力された情報に基づき、「ダイニングキッチンの室温が高いため、冷蔵庫の電気代がかかる状態になっています。窓を開け、換気扇を回して空気を入れ替えましょうか？」というアドバイスを生成する。アドバイス出力部１１４はこのアドバイスを携帯電話機８０に送信する。その結果、携帯電話機８０の画面にアドバイスが表示される。
【０２２４】
一括制御許可部１１６は、入力された情報に基づき、窓を開ける制御コマンドＡと、換気扇の電源をオンにする制御コマンドＢとを生成する。ユーザが、携帯電話機８０の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡを窓４２に出力し、制御コマンドＢを換気扇６０に出力する。
【０２２５】
これらの処理によって、窓４２が開けられ、換気扇６０が稼動する。その結果、ダイニングキッチン８内の温度が低下するので、冷蔵庫５０内を十分に冷やすことができる。したがって、節電効果が得られる。
【０２２６】
（冷蔵庫が配されている部屋の温度が高くなっている場合の節電制御例２）
以下では、冷蔵庫が配されている部屋の温度が高くなっている場合における、扉およびエアコンを一括制御する例を説明する。なお、季節は夏であり、ダイニングキッチン８内の温度よりも家屋２外の温度の方が高いことを前提にする。
【０２２７】
機器状態取得部１０４は、エアコン４６から、家屋２の外の温度およびダイニングキッチン８内の温度を取得する。機器状態比較部１０６は、取得された外気温度と室内温度とを比較する。本例では、外気温度＞室内温度であるので、その比較結果をアドバイス生成部１１２および一括制御許可部１１６に出力する。また、機器状態比較部１０６は、取得された室内温度と規定値（２８℃）とを比較する。本例では、室内温度＞規定値であるので、その比較結果をアドバイス生成部１１２および一括制御許可部１１６に出力する。
【０２２８】
アドバイス生成部１１２は、入力された情報に基づき、「ダイニングキッチンの室温が高いため、冷蔵庫の電気代がかかる状態になっています。ダイニングキッチンに冷気を入れましょうか？」というアドバイスを生成する。アドバイス出力部１１４はこのアドバイスを携帯電話機８０に送信する。その結果、携帯電話機８０の画面にアドバイスが表示される。
【０２２９】
一括制御許可部１１６は、入力された情報に基づき、エアコンの電源をオンにする制御コマンドＡと、扉を閉める制御コマンドＢとを生成する。ユーザが、携帯電話機８０の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡをエアコン４６に出力し、制御コマンドＢを扉８０，８２に出力する。
【０２３０】
これらの処理によって、ダイニングキッチン８の扉８０，８２は閉められ、エアコン４６が稼動する。その結果、ダイニングキッチン８内の温度が低下するので、冷蔵庫５０内を十分に冷やすことができる。したがって、節電効果が得られる。
【０２３１】
（冷蔵庫が配されている部屋の温度が高くなっている場合の節電制御例３）
以下では、冷蔵庫が配されている部屋の温度が高くなっている場合における、扉およびエアコンを一括制御する例を説明する。なお、季節は夏であり、ダイニングキッチン８内の温度よりも家屋２外の温度の方が高く、ダイニングキッチン８内にはエアコンが設けられていないことを前提にする。また、ダイニングキッチン８は、家屋２の外の温度およびダイニングキッチン８内の温度を測定するセンサを有している。
【０２３２】
機器状態取得部１０４は、ダイニングキッチン８のセンサから、家屋２の外の温度およびダイニングキッチン８内の温度を取得する。機器状態比較部１０６は、取得された外気温度と室内温度とを比較する。本例では、外気温度＞室内温度であるので、その比較結果をアドバイス生成部１１２および一括制御許可部１１６に出力する。また、機器状態比較部１０６は、取得された室内温度と規定値（２８℃）とを比較する。本例では、室内温度＞規定値であるので、その比較結果をアドバイス生成部１１２および一括制御許可部１１６に出力する。
【０２３３】
アドバイス生成部１１２は、入力された情報に基づき、「ダイニングキッチンの室温が高いため、冷蔵庫の電気代がかかる状態になっています。ダイイングキッチンに冷気を入れましょうか？」というアドバイスを生成する。アドバイス出力部１１４はこのアドバイスを携帯電話機８０に送信する。その結果、携帯電話機８０の画面にアドバイスが表示される。
【０２３４】
一括制御許可部１１６は、入力された情報に基づき、エアコンの電源をオンにする制御コマンドＡと、扉の開閉を制御する制御コマンドＢとを生成する。ユーザが、携帯電話機８０の画面に表示されたアドバイスに対して「はい」の入力を行うと、一括制御許可部１１６は、生成した制御コマンドＡ，Ｂを一括制御実行部１１８に出力する。一括制御実行部１１８は、制御コマンドＡをエアコン２８に出力し、制御コマンドＢを扉８０，８２に出力する。
【０２３５】
これらの処理によって、ダイニングキッチン８の扉８０は開けられ、扉８２は閉められる。そして、リビングルーム６のエアコン２８が稼動する。その結果、ダイニングキッチン８内の温度が低下するので、冷蔵庫５０内を十分に冷やすことができる。したがって、節電効果が得られる。
【０２３６】
なお、ユーザに表示されるアドバイス、一括制御、またはトリガーの設定は、随時変更してカスタマイズすることができる。例えば、トリガーの条件を変更する場合について、図８を参照して説明する。図８は、トリガーの条件を変更する場合のテレビ３４の画面表示例を示す図である。
【０２３７】
トリガーの条件を変更する場合には、図８に示すように、現在設定されているトリガーの条件（Ｔ１）、Ｔ１に対応して表示するアドバイス（Ａ１）、およびＴ１に対応して行う一括制御（Ｐ１）が表示される。そして、Ｔ１の内容を修正するか否かに対して、（ａ）はい、（ｂ）いいえの２つの選択肢が表示される。ユーザは、「はい」および「いいえ」のいずれかの入力を行うことによって、表示されたＴ１の内容を修正するか否かを決定することができる。ユーザが、「はい」を入力すると、Ｔ１の具体的な内容を変更することができる。例えば、「発電量＜買電量  and  エアコンの暖房設定温度が１８度を超えている」から、「発電量＜買電量  and  エアコンの暖房設定温度が２０度を超えている」に変更することができる。
【０２３８】
ここで、トリガーの条件以外にも、Ｔ１に対応するアドバイス（Ａ１）および一括制御（Ｐ１）の設定も変更可能である。これについて、図９および図１０を参照して説明する。図９は、表示するアドバイスの文章を変更する場合のテレビ３４の画面表示例を示す図である。図１０は、一括制御の内容を変更する場合のテレビ３４の画面表示例を示す図である。
【０２３９】
アドバイスの文章を変更する場合には、図９に示すように、現在設定されているアドバイスの文章（Ａ１）、Ａ１に対応するトリガーの条件（Ｔ１）、およびＡ１に対応して行う一括制御（Ｐ１）が表示される。そして、Ａ１の内容を修正するか否かを、「はい」および「いいえ」のいずれかの入力を行うことによって決定することができる。ユーザが、「はい」を入力すると、Ａ１の具体的な内容を変更することができる。例えば、「エアコンの設定温度が高いようです。設定値を１８℃にしませんか？カーテンを閉めるとお部屋の温度が逃げませんよ。」から、「エアコンの設定温度が高いようです。稼動中の全てのエアコンの設定値を１８度にしませんか？カーテンを閉めるとお部屋の温度が逃げませんよ。」に変更することができる。
【０２４０】
一方、一括制御の内容を変更する場合には、図１０に示すように、現在設定されている一括制御の内容（Ｐ１）、Ｐ１に対応するトリガーの条件（Ｔ１）、およびＰ１に対応するアドバイス（Ａ１）が表示される。そして、Ｐ１の内容を修正するか否かを、「はい」および「いいえ」のいずれかの入力を行うことによって決定することができる。ユーザが、「はい」を入力すると、Ｐ１の内容を変更することができる。例えば、「稼動している全てのエアコンの温度設定値を１８度にし、エアコンが稼動している部屋のカーテンを閉める」から、「稼動している全てのエアコンの温度設定値を１８度にする」に変更することができる。また、この際、上記トリガーの条件（Ｔ１）が満たされた場合には、自動的に上記一括制御（Ｐ１）を行うか否かの設定も、行うことができる。図１０に示したように、常に「はい」回答をするか否かに対して、（ａ）ＯＮ、（ｂ）ＯＦＦの２つの選択肢が表示される。ユーザは、「ＯＮ」および「ＯＦＦ」のいずれかの入力を行うことによって、常に一括制御を行うか否かを決定することができる。
【０２４１】
（プログラムおよび記録媒体）
最後に、電力管理アドバイス装置１に含まれている各部は、ハードウェアロジックによって構成すれば良い。または、次のように、ＣＰＵを用いてソフトウェアによって実現しても良い。
【０２４２】
すなわち、電力管理アドバイス装置１は、各機能を実現するプログラムの命令を実行するＣＰＵ、このプログラムを格納した、上記プログラムを実行可能な形式に展開するＲＡＭ、および上記プログラムと各種データとを格納するメモリ等の記憶装置（記録媒体）を備えている。この構成により、本発明の目的は、所定の記録媒体によっても達成できる。
【０２４３】
この記録媒体は、上述した機能を実現するソフトウェアである電力管理アドバイス装置１のプログラムのプログラムコード（実行形式プログラム，中間コードプログラム，ソースプログラム）をコンピュータで読み取り可能に記録していれば良い。電力管理アドバイス装置１に、この記録媒体を供給する。これにより、コンピュータとしての電力管理アドバイス装置１（またはＣＰＵやＭＰＵ）が、供給された記録媒体に記録されているプログラムコードを読み出し、実行すれば良い。
【０２４４】
プログラムコードを電力管理アドバイス装置１に供給する記録媒体は、特定の構造または種類のものに限定されない。すなわちこの記録媒体は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＢＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等とすることができる。
【０２４５】
また、電力管理アドバイス装置１を通信ネットワークと接続可能に構成しても、本発明の目的を達成できる。この場合、上記のプログラムコードを、通信ネットワークを介して電力管理アドバイス装置１に供給する。この通信ネットワークは電力管理アドバイス装置１にプログラムコードを供給できるものであれば良く、特定の種類または形態に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移
動体通信網、または衛星通信網等であれば良い。
【０２４６】
この通信ネットワークを構成する伝送媒体も、プログラムコードを伝送可能な任意の媒体であれば良く、特定の構成または種類のものに限定されない。例えば、ＩＥＥＥ１３９４、ＵＳＢ、電力線搬送、ケーブルＴＶ回線、電話線、またはＡＤＳＬ（Asymmetric Digital Subscriber Line）回線等の有線でも、ＩｒＤＡまたはリモコンのような赤外線、Ｂｌｕｅｔｏｏｔｈ（登録商標）、８０２．１１無線、ＨＤＲ、携帯電話網、衛星回線、または地上波デジタル網等の無線でも利用可能である。なお、本発明は上記プログラムコードが電子的な伝送で具現化された、搬送波に埋め込まれたコンピュータデータ信号の形態でも実現され得る。
【０２４７】
本発明は、上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２４８】
本発明に係る電力管理アドバイス装置は、例えば、家屋、またはオフィスビル等の建造物に備え、節電に関するアドバイスを提供する装置、またはシステム等として適用することができる。
【符号の説明】
【０２４９】
１  電力管理アドバイス装置
２  家屋
４  廊下
６  リビングルーム
８  ダイニングキッチン
１０  子供部屋１２  太陽光発電装置
１４  パワーコンディショナ
３４  テレビ
８０  携帯電話機
８２，８４，８６  機器
９０  電力管理システム
１００  発電量計測部
１０２  発電量比較部
１０４  機器状態取得部
１０６  機器状態比較部
１０８  消費電力計測部
１１０  消費電力比較部
１１２  アドバイス生成部
１１４  アドバイス出力部
１１６  一括制御許可部
１１８  一括制御実行部
１２０  機器情報データベース（機器情報ＤＢ）
１２２  記録用データベース（記録用ＤＢ）
【図１】
2014180205.tif 000003
【図２】
2014180205.tif 000004
【図３】
2014180205.tif 000005
【図４】
2014180205.tif 000006
【図５】
2014180205.tif 000007
【図６】
2014180205.tif 000008
【図７】
2014180205.tif 000009
【図８】
2014180205.tif 000010
【図９】
2014180205.tif 000011
【図１０】
2014180205.tif 000012
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
太陽光発電装置と複数の機器とに接続された電力管理装置であって、
上記太陽光発電装置における発電量に関する情報を取得する第１取得手段と、
上記電力管理装置が設置された建造物での買電量に関す情報を取得する第２取得手段と、
上記発電量と上記買電量とを比較し上記発電量が上記買電量より大である場合にアドバイスを生成するアドバイス生成手段と、
上記アドバイスを出力するアドバイス出力手段とを備え、
上記アドバイスに対応した制御を、上記複数の機器に対してそれぞれ一括して実行可能とする電力管理装置。
【請求項２】
太陽光発電装置と複数の機器とに接続された電力管理装置が実行する電力管理方法であって、
上記太陽光発電装置における発電量に関する情報を取得するステップと、
上記電力管理装置が設置された建造物での買電量に関する情報を取得するステップと、
上記発電量と上記買電量とを比較し上記発電量が上記買電量より大である場合にアドバイスを生成するアドバイス生成ステップと、
上記アドバイスを出力するアドバイス出力ステップとを備え、
上記アドバイスに対応した制御を、上記複数の機器に対してそれぞれ一括して実行可能とする電力管理方法。
【請求項３】
請求項１に記載の電力管理装置と、上記太陽光発電装置とを備えていることを特徴とする電力管理システム。
【手続補正３】
【補正対象書類名】明細書
【補正対象項目名】０００８
【補正方法】変更
【補正の内容】
【０００８】
そこで、本発明は上記課題に鑑みてなされたものであり、その目的は、節電に関するアドバイスをユーザに提示すると共に、当該アドバイスに基づく実際の機器の制御に際してユーザを煩わせることのない電力管理装置、および電力管理方法、ならびに当該電力管理装置を備えた電力管理システムを提供することにある。
【手続補正４】
【補正対象書類名】明細書
【補正対象項目名】０００９
【補正方法】変更
【補正の内容】
【０００９】
本発明に係る電力管理装置は、上記課題を解決するために、太陽光発電装置と複数の機器とに接続された電力管理装置であって、上記太陽光発電装置における発電量に関する情報を取得する第１取得手段と、上記電力管理装置が設置された建造物での買電量に関す情報を取得する第２取得手段と、上記発電量と上記買電量とを比較し上記発電量が上記買電量より大である場合にアドバイスを生成するアドバイス生成手段と、上記アドバイスを出力するアドバイス出力手段とを備え、上記アドバイスに対応した制御を、上記複数の機器に対してそれぞれ一括して実行可能とすることを特徴としている。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明に係る電力管理方法は、上記課題を解決するために、太陽光発電装置と複数の機器とに接続された電力管理装置が実行する電力管理方法であって、上記太陽光発電装置における発電量に関する情報を取得するステップと、上記電力管理装置が設置された建造物での買電量に関する情報を取得するステップと、上記発電量と上記買電量とを比較し上記発電量が上記買電量より大である場合にアドバイスを生成するアドバイス生成ステップと、上記アドバイスを出力するアドバイス出力ステップとを備え、上記アドバイスに対応した制御を、上記複数の機器に対してそれぞれ一括して実行可能とすることを特徴としている。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】変更
【補正の内容】
【００３１】
本発明に係る電力管理システムは、上記課題を解決するために、上記電力管理装置と、上記太陽光発電装置とを備えていることを特徴としている。
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】０２４６
【補正方法】変更
【補正の内容】
【０２４６】
この通信ネットワークを構成する伝送媒体も、プログラムコードを伝送可能な任意の媒体であれば良く、特定の構成または種類のものに限定されない。例えば、ＩＥＥＥ１３９４、ＵＳＢ、電力線搬送、ケーブルＴＶ回線、電話線、またはＡＤＳＬ（Asymmetric Digital Subscriber Line）回線等の有線でも、ＩｒＤＡまたはリモコンのような赤外線、Ｂｌｕｅｔｏｏｔｈ（登録商標）、８０２．１１無線、ＨＤＲ、携帯電話網、衛星回線、または地上波デジタル網等の無線でも利用可能である。なお、本発明は上記プログラムコードが電子的な伝送で具現化された、搬送波に埋め込まれたコンピュータデータ信号の形態でも実現され得る。
本実施形態に係る電力管理装置は、複数の機器に接続された電力管理装置であって、節電に関するアドバイスを生成するアドバイス生成手段と、上記アドバイスを出力するアドバイス出力手段と、上記アドバイスに対応した制御を、上記複数の機器に対してそれぞれ一括して実行する制御実行手段とを備えていることを特徴としている。
上記の構成によれば、アドバイス生成手段が生成した節電に関するアドバイスを、アドバイス出力手段によって出力することができる。そして、生成されたアドバイスに基づいて、制御実行手段が複数の機器をそれぞれ一括して制御することができる。このように、ユーザには節電に関するアドバイスが提供され、さらに、当該アドバイスに基づいて、複数の機器が一括制御される。
従来では、節電に関するアドバイスをユーザに提供する装置は開示されていたが、この場合には、節電に関するアドバイスが提供されるだけであって、実際に節電を実現するためには、ユーザが自らアドバイスに従った行動をとる必要があった。そのため、提供されたアドバイスを採用しようとしても、当該アドバイスに従って操作をするのを煩わしく感じてしまう場合があった。しかしながら、本実施形態に係る電力管理装置は、節電に関するアドバイスをユーザに提供するだけでなく、当該アドバイスに基づいて、複数の機器を一括制御することができる。すなわち、ユーザが提供されたアドバイスを採用しようとする際には、ユーザが自ら操作をする必要がないので、ユーザを煩わせることがない。したがって、節電の効果が確実に得られると共に、ユーザの生活をより快適化および充実化することができる。
本実施形態に係る電力管理方法は、複数の機器に接続された電力管理装置が実行する電力管理方法であって、節電に関するアドバイスを生成するアドバイス生成ステップと、上記アドバイスを出力するアドバイス出力ステップと、上記アドバイスに対応した制御を、上記複数の機器に対してそれぞれ一括して実行する制御実行ステップとを備えていることを特徴としている。
上記の方法によれば、本実施形態に係る電力管理装置と同様の作用効果を奏する。
本実施形態に係る電力管理装置においては、上記複数の機器の少なくともいずれかの状態を取得する状態取得手段をさらに備えており、上記アドバイス生成手段は、取得された上記状態に応じた上記アドバイスを生成することを特徴としている。
上記の構成によれば、複数の機器の少なくともいずれかの機器状態を反映したアドバイスがユーザに提供される。そして、当該アドバイスに基づいて、複数の機器のうち、特定の機器を一括制御することができる。
本実施形態に係る電力管理装置は、上記複数の機器のいずれとも異なる他の機器にさらに接続されており、電力管理装置は、上記他の機器の状態を取得する状態取得手段をさらに備えており、上記アドバイス生成手段は、取得された上記状態に応じた上記アドバイスを生成することを特徴としている。
上記の構成によれば、一括制御をする対象の機器とは別の機器の状態を反映したアドバスをユーザに提供することが可能である。このように、一括制御をする対象の機器と、機器の状態を取得する対象の機器とが、同一でなくても良い。
本実施形態に係る電力管理装置においては、上記アドバイス生成手段は、取得された上記状態の遷移に応じた上記アドバイスを生成することを特徴としている。
上記の構成によれば、機器の状態の経時的な変化（遷移）を考慮したアドバイスをユーザに提示することができる。また、そのような遷移を考慮した制御を複数の機器に対してい一括に行うことができる。
本実施形態に係る電力管理装置においては、上記複数の機器の少なくともいずれかから、当該機器が備えるセンサを通じて測定した値を取得する測定値取得手段をさらに備えており、上記アドバイス生成手段は、取得された上記測定値に応じた上記アドバイスを生成することを特徴としている。
上記の構成によれば、複数の機器の少なくともいずれかが備えたセンサを通じて測定した値を考慮したアドバイスをユーザに提示できる。したがって、このような値を考慮した制御を複数の機器に対して一括で行うことができる。
本実施形態に係る電力管理装置においては、電力管理装置は、上記複数の機器のいずれとも異なる他の機器にさらに接続されており、電力管理装置は、上記他の機器が備えるセンサを通じて測定した値を取得する測定値取得手段をさらに備えており、上記アドバイス生成手段は、取得された上記測定値に応じた上記アドバイスを生成することを特徴としている。
上記の構成によれば、一括制御をする対象の機器とは別の機器が備えたセンサを通じて
測定した値を反映したアドバスをユーザに提供することができる。このように、アドバイスを生成するために利用する値は、必ずしも一括制御をする対象の機器が備えたセンサを通じて測定した値に限られない。
本実施形態に係る電力管理装置においては、上記アドバイス生成手段は、取得された上記測定値の遷移に応じた上記アドバイスを生成することを特徴としている。
上記の構成によれば、機器が備えたセンサを通じて測定した値の経時的な変化（遷移）を考慮したアドバイスをユーザに提示できる。したがって、このような値の遷移を考慮した制御を複数の機器に対して一括で行うことができる。
本実施形態に係る電力管理装置においては、上記複数の機器におけるそれぞれの消費電力を計測する消費電力計測手段と、計測された消費電力を、過去の消費電力と比較する比較手段とをさらに備えており、上記アドバイス生成手段は、上記比較手段による比較結果に応じた上記アドバイスを生成することを特徴としている。
上記の構成によれば、複数の機器におけるそれぞれの消費電力と、過去の消費電力の履歴との比較結果に応じたアドバイスを提供することができる。そして、当該アドバイスに基づいて、複数の機器のうち、特定の機器を一括制御することができる。例えば、現時点での消費電力が過去の消費電力を上回った場合には、無駄な電力を消費している可能性があることをユーザに対して喚起し、その対応策が提供される。このように、過去と比較して過度な電力消費が観測された場合等には、その異常をユーザに知らせるので、無駄な電力を消費するのを防ぐことができる。
本実施形態に係る電力管理装置は、太陽光発電装置にさらに接続されており、上記太陽光発電装置における発電量を計測する発電量計測手段をさらに備えており、上記アドバイス生成手段は、計測された上記発電量に応じた上記アドバイスを生成することを特徴としている。
上記の構成によれば、太陽光発電装置の発電量に応じたアドバイスに基づいて、複数の機器のうち、特定の機器を一括制御することができる。このように、太陽光発電装置の発電量を考慮した上でユーザに対して適切なアドバイスを提示することができる。
本実施形態に係る電力管理装置は、上記アドバイス出力手段は、上記アドバイスを、ユーザが所持する携帯装置に送信することを特徴としている。
上記の構成によれば、電力管理装置が生成したアドバイスを、ユーザが所持する携帯電話に表示させることができる。したがって、ユーザが家内を移動している間、または外出している間等にも、電力管理装置が生成したアドバイスが携帯電話に表示されるので、ユーザは提供されたアドバイス内容をその場で確認することができる。
本実施形態に係る電力管理システムは、上記したいずれかの電力管理装置と、上記複数の機器とを備えていることを特徴としている。
上記の構成によれば、節電に関するアドバイスをユーザに提供するだけでなく、当該アドバイスに基づいて、複数の機器を一括制御することによって、ユーザの生活をより快適化および充実化することができる電力管理システムが実現される。
本実施形態に係る家屋は、上記した電力管理システムを備えていることを特徴としている。
上記の構成によれば、節電に関するアドバイスをユーザに提供するだけでなく、当該アドバイスに基づいて、複数の機器を一括制御することによって、ユーザの生活をより快適化および充実化することができる家屋が実現される。
なお、上述した電力管理装置は、コンピュータによって実現してもよく、この場合には、コンピュータを上記各部として動作させることにより上記コンテンツ再生装置をコンピュータにて実現させるプログラム、およびそれを記録したコンピュータ読み取り可能な記録媒体も、本実施形態の範疇に入る。